(57)【要約】【課題】ユーザが特段の操作をすることなくユーザの見やすい向きに、電子ペーパの表示手段へ表示させる画像の向きを制御する表示装置、電子ペーパ及び出力装置を提供する。【解決手段】マスタペーパにおいて電子ペーパ５が短辺で綴じられているか、長辺で綴じられているかを検出する。そして、短辺綴じである場合には、マスタペーパにおいて、コンテンツの偶数ページの画像データを１８０度回転させる。そして、スレーブペーパへは回転後の画像データを送信する。よって、スレーブペーパでは、マスタペーパからコマンドに添付されている画像データを表面表示部５１又は裏面表示部５２へ表示させるだけで、表面表示部５１と裏面表示部５２に異なる向きの画像を表示させることができる。【選択図】図３
2008065166.tif 000002
【特許請求の範囲】
【請求項１】
画像表示する表示手段を両面に備えた複数枚の電子ペーパと、前記複数枚の電子ペーパを束ねる綴じ部材と、前記複数枚の電子ペーパへの画像の出力を制御する出力装置とを備えた表示装置であって、
前記電子ペーパにおいて、当該電子ペーパの前記表示手段を備えた面の外周に外接する長方形の長手方向を当該電子ペーパの長手方向とし、前記外接する長方形の短手方向を当該電子ペーパの短手方向とすると、
前記電子ペーパは、
当該電子ペーパの長手方向の一端、及び、当該電子ペーパの短手方向の一端に設けられ、前記綴じ部材により綴じられる綴じ部を備え、
前記表示装置は、
前記長手方向の一端で綴じられている場合と、前記短手方向の一端で綴じられている場合とで、前記電子ペーパの裏面に備えられた前記表示手段に表示される画像の向きを異なるものとする向き制御手段を備えたことを特徴とする表示装置。
【請求項２】
前記電子ペーパは、
前記長手方向の一端と前記短手方向の一端とのいずれの一端が綴じられているかを検出する綴じ位置検出手段を備え、
前記向き制御手段は、前記綴じ位置検出手段の検出結果に基づいて前記電子ペーパの裏面に備えられた前記表示手段に表示される表示結果の向きを異なるものとすることを特徴とする請求項１に記載の表示装置。
【請求項３】
前記向き制御手段は、
前記綴じ位置検出手段による検出結果に基づいて前記電子ペーパの裏面に備えられた前記表示手段に表示する画像の向きを決定する向き決定手段と、
当該向き決定手段により決定された向きと前記画像の向きとが異なる場合には、前記画像が前記向き決定手段により決定された向きで前記電子ペーパの裏面に備えられた前記表示手段に表示されるように当該画像の向きを変換して当該画像の向きを調整する向き調整手段とを備え、
前記出力装置は、
前記向き決定手段と、
前記向き調整手段と、
前記向き調整手段により前記画像の向きを調整した後に前記表示手段に表示する前記画像のデータを前記電子ペーパへ送信する第一送信手段とを備え、
前記電子ペーパは、
前記第一送信手段から送信された前記画像のデータを前記表示手段に表示する第一表示制御手段を備えたことを特徴とする請求項２に記載の表示装置。
【請求項４】
前記向き制御手段は、
前記綴じ位置検出手段による検出結果に基づいて、前記電子ペーパの裏面に備えられた前記表示手段に表示する画像の向きを決定する向き決定手段と、
当該向き決定手段により決定された向きと前記画像の向きとが異なる場合には、前記画像が前記向き決定手段により決定された向きで前記電子ペーパの裏面に備えられた前記表示手段に表示されるように当該画像の向きを変換して当該画像の向きを調整する向き調整手段とを備え、
前記出力装置は、
前記表示手段に表示する前記画像のデータを前記電子ペーパへ送信する第二送信手段を備え、
前記電子ペーパは、
前記向き決定手段と、
前記向き調整手段と、
前記第二送信手段から送信された前記画像のデータに対して、前記向き決定手段により当該画像の向きを決定し、前記向き調整手段により当該画像の向きを調整した後に、前記表示手段に表示する第二表示制御手段とを備えたことを特徴とする請求項２に記載の表示装置。
【請求項５】
前記向き決定手段は、
前記綴じ位置検出手段により長手方向側が綴じられていると検出された場合には、前記電子ペーパの裏面に設けられた前記表示手段に表示される画像の向きを前記電子ペーパの表面に設けられた前記表示手段に表示される画像の向きと同じ向きとし、
前記綴じ位置検出手段により短手方向側が綴じられていると検出された場合には、前記電子ペーパの裏面に設けられた前記表示手段に表示される画像の向きを前記電子ペーパの表面に設けられた前記表示手段に表示される画像の向きと逆の向きとすることを特徴とする請求項１乃至４のいずれかに記載の表示装置。
【請求項６】
前記綴じ部材は、
当該綴じ部材により綴じられている前記複数枚の電子ペーパの前記綴じ部に接続する電気抵抗体を備え、
前記電子ペーパは、
当該綴じ部に接続した前記電気抵抗体の電圧値を計測する電圧値計測手段と、
前記電圧値計測手段により計測された前記電圧値が所定の値以上である場合に前記綴じ部材がセットされていると判断する綴じ判断手段とを備え、
前記綴じ位置検出手段は、当該綴じ判断手段による判断結果に基づいて、いずれの前記綴じ部に前記綴じ部材がセットされているかを判断することにより、前記長手方向の一端と前記短手方向の一端とのいずれの一端が綴じられているかを検出することを特徴とする請求項１乃至５のいずれかに記載の表示装置。
【請求項７】
前記電子ペーパの綴じ部は、当該電子ペーパの前記長手方向の一端及び前記短手方向の一端のそれぞれに少なくとも２つの穴が設けられており、各方向に設けられた前記穴のうちの少なくとも１つは他の穴と異なる形状をしていることを特徴とする請求項１乃至６のいずれかに記載の表示装置。
【請求項８】
前記電子ペーパの綴じ部は、当該電子ペーパの前記長手方向の一端及び前記短手方向の一端のそれぞれに少なくとも２つの穴が設けられており、当該穴の設置位置は、前記外接する長方形の辺に対する垂線を基準線として対称でないことを特徴とする請求項１乃至７のいずれかに記載の表示装置。
【請求項９】
画像表示する表示手段を両面に備えた電子ペーパであって、
複数枚の前記電子ペーパが綴じ部材で束ねられた表示装置において、当該電子ペーパの前記表示手段に表示する画像の出力を制御する出力装置が設けられており、
当該電子ペーパの前記表示手段を備えた面の外周に外接する長方形の長手方向を当該電子ペーパの長手方向とし、前記外接する長方形の短手方向を当該電子ペーパの短手方向とすると、
当該電子ペーパの長手方向の一端、及び、当該電子ペーパの短手方向の一端に設けられ、前記綴じ部材により綴じられる綴じ部と、
前記長手方向の一端と前記短手方向の一端とのいずれの一端が綴じられているかを検出する綴じ位置検出手段と、
当該綴じ位置検出手段による検出結果に基づいて、前記電子ペーパの裏面に備えられた前記表示手段に表示する画像の向きを決定する向き決定手段と、
当該向き決定手段により決定された向きと前記画像の向きとが異なる場合には、前記画像が前記向き決定手段により決定された向きで前記電子ペーパの裏面に備えられた前記表示手段に表示されるように当該画像の向きを変換して当該画像の向きを調整する向き調整手段と、
前記出力装置から送信された前記画像のデータに対して、前記向き決定手段により当該画像の向きを決定し、前記向き調整手段により当該画像の向きを調整した後に、前記表示手段に表示する第二表示制御手段を備えたことを特徴とする電子ペーパ。
【請求項１０】
前記向き決定手段は、
前記綴じ位置検出手段により長手方向側が綴じられていると検出された場合には、前記電子ペーパの裏面に設けられた前記表示手段に表示される画像の向きを前記電子ペーパの表面に設けられた前記表示手段に表示される画像の向きと同じ向きとし、
前記綴じ位置検出手段により短手方向側が綴じられていると検出された場合には、前記電子ペーパの裏面に設けられた前記表示手段に表示される画像の向きを前記電子ペーパの表面に設けられた前記表示手段に表示される画像の向きと逆の向きとすることを特徴とする請求項９に記載の電子ペーパ。
【請求項１１】
前記綴じ部材が、当該綴じ部材により綴じられている前記複数枚の電子ペーパの前記綴じ部に接続する電気抵抗体を備えており、
当該綴じ部に接続した前記電気抵抗体の電圧値を計測する電圧値計測手段と、
前記電圧値計測手段により計測された前記電圧値が所定の値以上である場合に前記綴じ部材がセットされていると判断する綴じ判断手段とを備え、
前記綴じ位置検出手段は、当該綴じ判断手段による判断結果に基づいて、いずれの前記綴じ部に前記綴じ部材がセットされているかを判断することにより、前記長手方向の一端と前記短手方向の一端とのいずれの一端が綴じられているかを検出することを特徴とする請求項９又は１０に記載の電子ペーパ。
【請求項１２】
前記電子ペーパの綴じ部は、当該電子ペーパの前記長手方向の一端及び前記短手方向の一端のそれぞれに少なくとも２つの穴が設けられており、各方向に設けられた前記穴のうちの少なくとも１つは他の穴と異なる形状をしていることを特徴とする請求項９乃至１１のいずれかに記載の電子ペーパ。
【請求項１３】
前記電子ペーパの綴じ部は、当該電子ペーパの前記長手方向の一端及び前記短手方向の一端のそれぞれに少なくとも２つの穴が設けられており、当該穴の設置位置は、前記外接する長方形の辺に対する垂線を基準線として対称でないことを特徴とする請求項９乃至１２のいずれかに記載の電子ペーパ。
【請求項１４】
画像表示する表示手段を両面に備えた複数枚の電子ペーパが綴じ部材により束ねられている表示装置において、前記電子ペーパの前記表示手段に表示する画像の出力を制御する出力装置であって、
前記電子ペーパにおいて、当該電子ペーパの前記表示手段を備えた面の外周に外接する長方形の長手方向を当該電子ペーパの長手方向とし、前記外接する長方形の短手方向を当該電子ペーパの短手方向とすると、前記電子ペーパが当該電子ペーパの長手方向の一端、及び、当該電子ペーパの短手方向の一端に設けられた綴じ部において前記綴じ部材により綴じられており、
前記電子ペーパに備えられている前記長手方向の一端と前記短手方向の一端とのいずれの一端が綴じられているかを検出する綴じ位置検出手段による検出結果に基づいて、前記電子ペーパの裏面に備えられた前記表示手段に表示する画像の向きを決定する向き決定手段と、
当該向き決定手段により決定された向きと前記画像の向きとが異なる場合には、前記画像が前記向き決定手段により決定された向きで前記電子ペーパの裏面に備えられた前記表示手段に表示されるように当該画像の向きを変換して当該画像の向きを調整する向き調整手段と、
前記向き調整手段により前記画像の向きを調整した後に前記表示手段に表示する前記画像のデータを前記電子ペーパへ送信する第一送信手段とを備えたことを特徴とする出力装置。
【請求項１５】
前記向き決定手段は、
前記綴じ位置検出手段により長手方向側が綴じられていると検出された場合には、前記電子ペーパの裏面に設けられた前記表示手段に表示される画像の向きを前記電子ペーパの表面に設けられた前記表示手段に表示される画像の向きと同じ向きとし、
前記綴じ位置検出手段により短手方向側が綴じられていると検出された場合には、前記電子ペーパの裏面に設けられた前記表示手段に表示される画像の向きを前記電子ペーパの表面に設けられた前記表示手段に表示される画像の向きと逆の向きとすることを特徴とする請求項１４に記載の出力装置。
【発明の詳細な説明】
【技術分野】
【０００１】
本発明は、表示装置、電子ペーパ及び出力装置に関するものであり、詳細には、電子ペーパに設けられている表示手段へ表示させる画像の向きの制御に関するものである。
【背景技術】
【０００２】
従来、電子書籍と呼ばれる、表裏の両面に表示手段を備えた電子ペーパを複数枚束ねて綴じ込んだ表示装置がある。このような表示装置において、表示手段に表示されている画像の変更について様々な提案がなされている。例えば、特許文献１に記載の発明の表示装置では、自装置の姿勢変化に対応して表示するページを変更している。例えば、自装置（電子ペーパ）が裏返されることによりページを変更しているが、その際に、裏返しの回転軸の向きを考慮して表示の変更が行われている。また、特許文献２に記載の発明の電子表示装置では、ペーパ状ページ表示媒体（電子ペーパ）に光センサを設けてページのめくり操作に連動して表示データを更新している。
【特許文献１】特開２００４−２１３５５８号公報
【特許文献２】特開２００３−５８０８１号公報
【発明の開示】
【発明が解決しようとする課題】
【０００３】
しかしながら、特許文献１、２に記載の発明の表示装置では、電子ペーパがめくられるという操作に応じて表示手段に表示される情報の更新が行われているが、その際に、電子ペーパがどの位置で綴じられているかということは考慮されていないという問題点がある。
【０００４】
本発明は、上述の問題点を解決するためになされたものであり、ユーザが特段の操作をすることなくユーザの見やすい向きに、電子ペーパの表示手段へ表示させる画像の向きを制御する表示装置、電子ペーパ及び出力装置を提供することを目的とする。
【課題を解決するための手段】
【０００５】
上記課題を解決するため、請求項１に係る発明の表示装置では、画像表示する表示手段を両面に備えた複数枚の電子ペーパと、前記複数枚の電子ペーパを束ねる綴じ部材と、前記複数枚の電子ペーパへの画像の出力を制御する出力装置とを備えた表示装置であって、前記電子ペーパにおいて、当該電子ペーパの前記表示手段を備えた面の外周に外接する長方形の長手方向を当該電子ペーパの長手方向とし、前記外接する長方形の短手方向を当該電子ペーパの短手方向とすると、前記電子ペーパは、当該電子ペーパの長手方向の一端、及び、当該電子ペーパの短手方向の一端に設けられ、前記綴じ部材により綴じられる綴じ部を備え、前記表示装置は、前記長手方向の一端で綴じられている場合と、前記短手方向の一端で綴じられている場合とで、前記電子ペーパの裏面に備えられた前記表示手段に表示される画像の向きを異なるものとする向き制御手段を備えたことを特徴とする。
【０００６】
また、請求項２に係る発明の表示装置では、請求項１に記載の発明の構成に加えて、前記電子ペーパは、前記長手方向の一端と前記短手方向の一端とのいずれの一端が綴じられているかを検出する綴じ位置検出手段を備え、前記向き制御手段は、前記綴じ位置検出手段の検出結果に基づいて前記電子ペーパの裏面に備えられた前記表示手段に表示される表示結果の向きを異なるものとすることを特徴とする。
【０００７】
また、請求項３に係る発明の表示装置では、請求項２に記載の発明の構成に加えて、前記向き制御手段は、前記綴じ位置検出手段による検出結果に基づいて前記電子ペーパの裏面に備えられた前記表示手段に表示する画像の向きを決定する向き決定手段と、当該向き決定手段により決定された向きと前記画像の向きとが異なる場合には、前記画像が前記向き決定手段により決定された向きで前記電子ペーパの裏面に備えられた前記表示手段に表示されるように当該画像の向きを変換して当該画像の向きを調整する向き調整手段とを備え、前記出力装置は、前記向き決定手段と、前記向き調整手段と、前記向き調整手段により前記画像の向きを調整した後に前記表示手段に表示する前記画像のデータを前記電子ペーパへ送信する第一送信手段とを備え、前記電子ペーパは、前記第一送信手段から送信された前記画像のデータを前記表示手段に表示する第一表示制御手段を備えたことを特徴とする。
【０００８】
また、請求項４に係る発明の表示装置では、請求項２に記載の発明の構成に加えて、前記向き制御手段は、前記綴じ位置検出手段による検出結果に基づいて、前記電子ペーパの裏面に備えられた前記表示手段に表示する画像の向きを決定する向き決定手段と、当該向き決定手段により決定された向きと前記画像の向きとが異なる場合には、前記画像が前記向き決定手段により決定された向きで前記電子ペーパの裏面に備えられた前記表示手段に表示されるように当該画像の向きを変換して当該画像の向きを調整する向き調整手段とを備え、前記出力装置は、前記表示手段に表示する前記画像のデータを前記電子ペーパへ送信する第二送信手段を備え、前記電子ペーパは、前記向き決定手段と、前記向き調整手段と、前記第二送信手段から送信された前記画像のデータに対して、前記向き決定手段により当該画像の向きを決定し、前記向き調整手段により当該画像の向きを調整した後に、前記表示手段に表示する第二表示制御手段とを備えたことを特徴とする。
【０００９】
また、請求項５に係る発明の表示装置では、請求項１乃至４のいずれかに記載の発明の構成に加えて、前記向き決定手段は、前記綴じ位置検出手段により長手方向側が綴じられていると検出された場合には、前記電子ペーパの裏面に設けられた前記表示手段に表示される画像の向きを前記電子ペーパの表面に設けられた前記表示手段に表示される画像の向きと同じ向きとし、前記綴じ位置検出手段により短手方向側が綴じられていると検出された場合には、前記電子ペーパの裏面に設けられた前記表示手段に表示される画像の向きを前記電子ペーパの表面に設けられた前記表示手段に表示される画像の向きと逆の向きとすることを特徴とする。
【００１０】
また、請求項６に係る発明の表示装置では、請求項１乃至５のいずれかに記載の発明の構成に加えて、前記綴じ部材は、当該綴じ部材により綴じられている前記複数枚の電子ペーパの前記綴じ部に接続する電気抵抗体を備え、前記電子ペーパは、当該綴じ部に接続した前記電気抵抗体の電圧値を計測する電圧値計測手段と、前記電圧値計測手段により計測された前記電圧値が所定の値以上である場合に前記綴じ部材がセットされていると判断する綴じ判断手段とを備え、前記綴じ位置検出手段は、当該綴じ判断手段による判断結果に基づいて、いずれの前記綴じ部に前記綴じ部材がセットされているかを判断することにより、前記長手方向の一端と前記短手方向の一端とのいずれの一端が綴じられているかを検出することを特徴とする。
【００１１】
また、請求項７に係る発明の表示装置では、請求項１乃至６のいずれかに記載の発明の構成に加えて、前記電子ペーパの綴じ部は、当該電子ペーパの前記長手方向の一端及び前記短手方向の一端のそれぞれに少なくとも２つの穴が設けられており、各方向に設けられた前記穴のうちの少なくとも１つは他の穴と異なる形状をしていることを特徴とする。
【００１２】
また、請求項８に係る発明の表示装置では、請求項１乃至７のいずれかに記載の発明の構成に加えて、前記電子ペーパの綴じ部は、当該電子ペーパの前記長手方向の一端及び前記短手方向の一端のそれぞれに少なくとも２つの穴が設けられており、当該穴の設置位置は、前記外接する長方形の辺に対する垂線を基準線として対称でないことを特徴とする。
【００１３】
また、請求項９に係る発明の電子ペーパでは、画像表示する表示手段を両面に備えた電子ペーパであって、複数枚の前記電子ペーパが綴じ部材で束ねられた表示装置において、当該電子ペーパの前記表示手段に表示する画像の出力を制御する出力装置が設けられており、当該電子ペーパの前記表示手段を備えた面の外周に外接する長方形の長手方向を当該電子ペーパの長手方向とし、前記外接する長方形の短手方向を当該電子ペーパの短手方向とすると、当該電子ペーパの長手方向の一端、及び、当該電子ペーパの短手方向の一端に設けられ、前記綴じ部材により綴じられる綴じ部と、前記長手方向の一端と前記短手方向の一端とのいずれの一端が綴じられているかを検出する綴じ位置検出手段と、当該綴じ位置検出手段による検出結果に基づいて、前記電子ペーパの裏面に備えられた前記表示手段に表示する画像の向きを決定する向き決定手段と、当該向き決定手段により決定された向きと前記画像の向きとが異なる場合には、前記画像が前記向き決定手段により決定された向きで前記電子ペーパの裏面に備えられた前記表示手段に表示されるように当該画像の向きを変換して当該画像の向きを調整する向き調整手段と、前記出力装置から送信された前記画像のデータに対して、前記向き決定手段により当該画像の向きを決定し、前記向き調整手段により当該画像の向きを調整した後に、前記表示手段に表示する第二表示制御手段を備えたことを特徴とする。
【００１４】
また、請求項１０に係る発明の電子ペーパでは、請求項９に記載の発明の構成に加えて、前記向き決定手段は、前記綴じ位置検出手段により長手方向側が綴じられていると検出された場合には、前記電子ペーパの裏面に設けられた前記表示手段に表示される画像の向きを前記電子ペーパの表面に設けられた前記表示手段に表示される画像の向きと同じ向きとし、前記綴じ位置検出手段により短手方向側が綴じられていると検出された場合には、前記電子ペーパの裏面に設けられた前記表示手段に表示される画像の向きを前記電子ペーパの表面に設けられた前記表示手段に表示される画像の向きと逆の向きとすることを特徴とする。
【００１５】
また、請求項１１に係る発明の電子ペーパでは、請求項９又は１０に記載の発明の構成に加えて、前記綴じ部材が、当該綴じ部材により綴じられている前記複数枚の電子ペーパの前記綴じ部に接続する電気抵抗体を備えており、当該綴じ部に接続した前記電気抵抗体の電圧値を計測する電圧値計測手段と、前記電圧値計測手段により計測された前記電圧値が所定の値以上である場合に前記綴じ部材がセットされていると判断する綴じ判断手段とを備え、前記綴じ位置検出手段は、当該綴じ判断手段による判断結果に基づいて、いずれの前記綴じ部に前記綴じ部材がセットされているかを判断することにより、前記長手方向の一端と前記短手方向の一端とのいずれの一端が綴じられているかを検出することを特徴とする。
【００１６】
また、請求項１２に係る発明の電子ペーパでは、請求項９乃至１１のいずれかに記載の発明の構成に加えて、前記電子ペーパの綴じ部は、当該電子ペーパの前記長手方向の一端及び前記短手方向の一端のそれぞれに少なくとも２つの穴が設けられており、各方向に設けられた前記穴のうちの少なくとも１つは他の穴と異なる形状をしていることを特徴とする。
【００１７】
また、請求項１３に係る発明の電子ペーパでは、請求項９乃至１２のいずれかに記載の発明の構成に加えて、前記電子ペーパの綴じ部は、当該電子ペーパの前記長手方向の一端及び前記短手方向の一端のそれぞれに少なくとも２つの穴が設けられており、当該穴の設置位置は、前記外接する長方形の辺に対する垂線を基準線として対称でないことを特徴とする。
【００１８】
また、請求項１４に係る発明の出力装置では、画像表示する表示手段を両面に備えた複数枚の電子ペーパが綴じ部材により束ねられている表示装置において、前記電子ペーパの前記表示手段に表示する画像の出力を制御する出力装置であって、前記電子ペーパにおいて、当該電子ペーパの前記表示手段を備えた面の外周に外接する長方形の長手方向を当該電子ペーパの長手方向とし、前記外接する長方形の短手方向を当該電子ペーパの短手方向とすると、前記電子ペーパが当該電子ペーパの長手方向の一端、及び、当該電子ペーパの短手方向の一端に設けられた綴じ部において前記綴じ部材により綴じられており、前記電子ペーパに備えられている前記長手方向の一端と前記短手方向の一端とのいずれの一端が綴じられているかを検出する綴じ位置検出手段による検出結果に基づいて、前記電子ペーパの裏面に備えられた前記表示手段に表示する画像の向きを決定する向き決定手段と、当該向き決定手段により決定された向きと前記画像の向きとが異なる場合には、前記画像が前記向き決定手段により決定された向きで前記電子ペーパの裏面に備えられた前記表示手段に表示されるように当該画像の向きを変換して当該画像の向きを調整する向き調整手段と、前記向き調整手段により前記画像の向きを調整した後に前記表示手段に表示する前記画像のデータを前記電子ペーパへ送信する第一送信手段とを備えたことを特徴とする。
【００１９】
また、請求項１５に係る発明の出力装置では、請求項１４に記載の発明の構成に加えて、前記向き決定手段は、前記綴じ位置検出手段により長手方向側が綴じられていると検出された場合には、前記電子ペーパの裏面に設けられた前記表示手段に表示される画像の向きを前記電子ペーパの表面に設けられた前記表示手段に表示される画像の向きと同じ向きとし、前記綴じ位置検出手段により短手方向側が綴じられていると検出された場合には、前記電子ペーパの裏面に設けられた前記表示手段に表示される画像の向きを前記電子ペーパの表面に設けられた前記表示手段に表示される画像の向きと逆の向きとすることを特徴とする。
【発明の効果】
【００２０】
請求項１に係る発明の表示装置では、向き制御手段は、長手方向の一端で綴じられている場合と、短手方向の一端で綴じられている場合とで、電子ペーパの裏面に備えられた表示手段に表示される画像の向きを異なるものとすることができる。したがって、ユーザに設定という操作をさせることなく、自動的に電子ペーパの表示手段に表示される画像の向きを制御することができる。
【００２１】
また、請求項２に係る発明の表示装置では、請求項１に記載の発明の効果に加えて、電子ペーパの綴じ位置検出手段は、長手方向の一端と短手方向の一端とのいずれの一端が綴じられているかを検出することができる。そして、向き制御手段は、綴じ位置検出手段の検出結果に基づいて電子ペーパの裏面に備えられた表示手段に表示される表示結果の向きを異なるものとすることができる。したがって、電子ペーパにおいて綴じ位置を検出することができるので、ユーザに綴じ位置を入力させる必要がない。
【００２２】
また、請求項３に係る発明の表示装置では、請求項２に記載の発明の効果に加えて、向き制御手段の向き決定手段は、綴じ位置検出手段による検出結果に基づいて電子ペーパの裏面に備えられた表示手段に表示する画像の向きを決定し、向き制御手段の向き調整手段は、向き決定手段により決定された向きと画像の向きとが異なる場合には、画像が向き決定手段により決定された向きで電子ペーパの裏面に備えられた表示手段に表示されるように画像の向きを変換して画像の向きを調整することができる。そして、出力装置は、向き決定手段と、向き調整手段と、第一送信手段とを備え、第一送信手段は、向き調整手段により画像の向きを調整した後に表示手段に表示する画像のデータを電子ペーパへ送信することができる。そして、電子ペーパの第一表示制御手段は、第一送信手段から送信された画像のデータを表示手段に表示することができる。したがって、出力装置において画像の向きを決定し、画像の向きの調整もすることができるので、電子ペーパでは出力装置から送信された画像を出力するだけでよく、特段の処理をさせる必要がない。
【００２３】
また、請求項４に係る発明の表示装置では、請求項２に記載の発明の効果に加えて、向き制御手段の向き決定手段は、綴じ位置検出手段による検出結果に基づいて、電子ペーパの裏面に備えられた表示手段に表示する画像の向きを決定し、向き制御手段の向き調整手段は、向き決定手段により決定された向きと画像の向きとが異なる場合には、画像が向き決定手段により決定された向きで電子ペーパの裏面に備えられた表示手段に表示されるように画像の向きを変換して画像の向きを調整することができる。そして、出力装置の第二送信手段は、表示手段に表示する画像のデータを電子ペーパへ送信することができる。そして、電子ペーパは、向き決定手段と、向き調整手段と、第二表示制御手段とを備え、第二表示制御手段は、第二送信手段から送信された画像のデータに対して、向き決定手段により画像の向きを決定し、向き調整手段により画像の向きを調整した後に、表示手段に表示することができる。したがって、電子ペーパにおいて向きを決定し、画像の向きの調整もするので、出力装置においては格段の処理をさせる必要がない。
【００２４】
また、請求項５に係る発明の表示装置では、請求項１乃至４のいずれかに記載の発明の効果に加えて、向き決定手段は、綴じ位置検出手段により長手方向側が綴じられていると検出された場合には、電子ペーパの裏面に設けられた表示手段に表示される画像の向きを電子ペーパの表面に設けられた表示手段に表示される画像の向きと同じ向きとし、綴じ位置検出手段により短手方向側が綴じられていると検出された場合には、電子ペーパの裏面に設けられた表示手段に表示される画像の向きを電子ペーパの表面に設けられた表示手段に表示される画像の向きと逆の向きとすることができる。したがって、綴じ位置に従い電子ペーパが左開きもしくは上開きとされても、ユーザは電子ペーパの向きを変更することなく、次ページの表示内容を閲覧できる。
【００２５】
また、請求項６に係る発明の表示装置では、請求項１乃至５のいずれかに記載の発明の効果に加えて、電子ペーパの電圧値計測手段は、綴じ部に接続した電気抵抗体の電圧値を計測し、電子ペーパの綴じ判断手段は、電圧値計測手段により計測された電圧値が所定の値以上である場合に綴じ部材がセットされていると判断することができる。そして、綴じ位置検出手段は、綴じ判断手段による判断結果に基づいて、いずれの綴じ部に綴じ部材がセットされているかを判断することにより、長手方向の一端と短手方向の一端とのいずれの一端が綴じられているかを検出することができる。したがって、電子ペーパが綴じ部材に綴じられているか否かを確実に判断することができる。
【００２６】
また、請求項７に係る発明の表示装置では、請求項１乃至６のいずれかに記載の発明の効果に加えて、電子ペーパの綴じ部は、電子ペーパの長手方向の一端及び短手方向の一端のそれぞれに少なくとも２つの穴が設けられており、各方向に設けられた穴のうちの少なくとも１つは他の穴と異なる形状をしている。したがって、電子ペーパを綴じ部材で綴じる際に、電子ペーパの表裏を誤って綴じようとした時に気づきやすい。特に、電子ペーパの形状が長手方向及び短手方向においてそれぞれその中心を通る垂線に対して対称である場合（例えば、長方形、ひし形、円、楕円、６角形，８角形等の頂点が偶数の多角形。なお、辺は直線に限らず、ギザギザ、波線などでもよい。）でも、その表裏に誤りがあることに気づきやすい。
【００２７】
また、請求項８に係る発明の表示装置では、請求項１乃至７のいずれかに記載の発明の効果に加えて、電子ペーパの綴じ部は、電子ペーパの長手方向の一端及び短手方向の一端のそれぞれに少なくとも２つの穴が設けられており、穴の設置位置は、外接する長方形の辺に対する垂線を基準線として対称でない。したがって、電子ペーパを綴じ部材で綴じる際に、電子ペーパの表裏を誤って綴じようとした時に気づきやすい。特に、電子ペーパの形状が長手方向及び短手方向においてそれぞれその中心を通る垂線に対して対称である場合（例えば、長方形、ひし形、円、楕円、６角形，８角形等の頂点が偶数の多角形。なお、辺は直線に限らず、ギザギザ、波線などでもよい。）でも、その表裏に誤りがあることに気づきやすい。
【００２８】
また、請求項９に係る発明の電子ペーパでは、綴じ位置検出手段は、長手方向の一端と短手方向の一端とのいずれの一端が綴じられているかを検出し、向き決定手段は、綴じ位置検出手段による検出結果に基づいて、電子ペーパの裏面に備えられた表示手段に表示する画像の向きを決定し、向き調整手段は、向き決定手段により決定された向きと画像の向きとが異なる場合には、画像が向き決定手段により決定された向きで電子ペーパの裏面に備えられた表示手段に表示されるように画像の向きを変換して画像の向きを調整し、第二表示制御手段は、出力装置から送信された画像のデータに対して、向き決定手段により画像の向きを決定し、向き調整手段により画像の向きを調整した後に、表示手段に表示することができる。したがって、電子ペーパにおいて綴じ位置を検出することにより、ユーザに綴じ位置の入力という操作をさせることなく、自動的に電子ペーパの表示手段に表示される画像の向きを制御することができる。
【００２９】
また、請求項１０に係る発明の電子ペーパでは、請求項９に記載の発明の効果に加えて、向き決定手段は、綴じ位置検出手段により長手方向側が綴じられていると検出された場合には、電子ペーパの裏面に設けられた表示手段に表示される画像の向きを電子ペーパの表面に設けられた表示手段に表示される画像の向きと同じ向きとし、綴じ位置検出手段により短手方向側が綴じられていると検出された場合には、電子ペーパの裏面に設けられた表示手段に表示される画像の向きを電子ペーパの表面に設けられた表示手段に表示される画像の向きと逆の向きとすることができる。したがって、綴じ位置に従い電子ペーパが左開きもしくは上開きとされても、ユーザは電子ペーパの向きを変更することなく、次ページの表示内容を閲覧できる。
【００３０】
また、請求項１１に係る発明の電子ペーパでは、請求項９又は１０に記載の発明の効果に加えて、電圧値計測手段は、綴じ部に接続した電気抵抗体の電圧値を計測し、綴じ判断手段は、電圧値計測手段により計測された電圧値が所定の値以上である場合に綴じ部材がセットされていると判断することができる。そして、綴じ位置検出手段は、綴じ判断手段による判断結果に基づいて、いずれの綴じ部に綴じ部材がセットされているかを判断することにより、長手方向の一端と短手方向の一端とのいずれの一端が綴じられているかを検出することができる。したがって、電子ペーパが綴じ部材に綴じられているか否かを確実に判断することができる。
【００３１】
また、請求項１２に係る発明の電子ペーパでは、請求項９乃至１１のいずれかに記載の発明の効果に加えて、電子ペーパの綴じ部は、電子ペーパの長手方向の一端及び短手方向の一端のそれぞれに少なくとも２つの穴が設けられており、各方向に設けられた穴のうちの少なくとも１つは他の穴と異なる形状をしている。したがって、電子ペーパを綴じ部材で綴じる際に、電子ペーパの表裏を誤って綴じようとした時に気づきやすい。特に、電子ペーパの形状が長手方向及び短手方向においてそれぞれその中心を通る垂線に対して対称である場合（例えば、長方形、ひし形、円、楕円、６角形，８角形等の頂点が偶数の多角形。なお、辺は直線に限らず、ギザギザ、波線などでもよい。）でも、その表裏に誤りがあることに気づきやすい。
【００３２】
また、請求項１３に係る発明の電子ペーパでは、請求項９乃至１２のいずれかに記載の発明の効果に加えて、電子ペーパの綴じ部は、電子ペーパの長手方向の一端及び短手方向の一端のそれぞれに少なくとも２つの穴が設けられており、穴の設置位置は、外接する長方形の辺に対する垂線を基準線として対称でない。したがって、電子ペーパを綴じ部材で綴じる際に、電子ペーパの表裏を誤って綴じようとした時に気づきやすい。特に、電子ペーパの形状が長手方向及び短手方向においてそれぞれその中心を通る垂線に対して対称である場合（例えば、長方形、ひし形、円、楕円、６角形，８角形等の頂点が偶数の多角形。なお、辺は直線に限らず、ギザギザ、波線などでもよい。）でも、その表裏に誤りがあることに気づきやすい。
【００３３】
また、請求項１４に係る発明の出力装置では、向き決定手段は、電子ペーパに備えられている長手方向の一端と短手方向の一端とのいずれの一端が綴じられているかを検出する綴じ位置検出手段による検出結果に基づいて、電子ペーパの裏面に備えられた表示手段に表示する画像の向きを決定し、向き調整手段は、向き決定手段により決定された向きと画像の向きとが異なる場合には、画像が向き決定手段により決定された向きで電子ペーパの裏面に備えられた表示手段に表示されるように画像の向きを変換して画像の向きを調整し、第一送信手段は、向き調整手段により画像の向きを調整した後に表示手段に表示する画像のデータを電子ペーパへ送信することができる。したがって、ユーザに綴じ位置の入力という操作をさせることなく、自動的に電子ペーパの表示手段に表示される画像の向きを制御することができる。
【００３４】
また、請求項１５に係る発明の出力装置では、請求項１４に記載の発明の効果に加えて、向き決定手段は、綴じ位置検出手段により長手方向側が綴じられていると検出された場合には、電子ペーパの裏面に設けられた表示手段に表示される画像の向きを電子ペーパの表面に設けられた表示手段に表示される画像の向きと同じ向きとし、綴じ位置検出手段により短手方向側が綴じられていると検出された場合には、電子ペーパの裏面に設けられた表示手段に表示される画像の向きを電子ペーパの表面に設けられた表示手段に表示される画像の向きと逆の向きとすることができる。したがって、電子ペーパが縦向きの場合には左開き、電子ペーパが横向きの場合には上開きとされるので、ユーザは表示された情報を見開きで見る場合に見やすく、またページをめくりやすい
【発明を実施するための最良の形態】
【００３５】
以下、本発明の表示装置について、第一の実施の形態から第三の実施の形態まで図面を参照して説明する。まず、第一の実施の形態から第三の実施の形態に共通する表示装置１の外観について図１乃至図３を参照して説明する。図１は、電子ペーパ５が電子ペーパ５の短辺で重ねて綴じられている状態の表示装置１の外観図であり、図２は、電子ペーパ５の短辺で綴じられている状態で、見開きの状態とされている表示装置１の外観図であり、図３は、電子ペーパ５の長辺で綴じられている状態で、見開きの状態とされている外観図である。
【００３６】
図１乃至図３に示すように、表示装置１は、両面に表面表示部５１及び裏面表示部５２を備えた略長方形のマスタペーパ３と、当該マスタペーパ３と同様の形状で両面に表面表示部５１及び裏面表示部５２を備えた略長方形のスレーブペーパ４とから成り、マスタペーパ３及びスレーブペーパ４の短辺の一方に設けられた４つの短辺綴じ穴２０又は長辺の一方に設けられた４つの長辺綴じ穴３０において、４つのリングから成る綴じ部材１０により綴じられている。なお、マスタペーパ３は出力装置として機能し、マスタペーパ３及びスレーブペーパ４の表示部５１，５２に表示させる画像の制御が行われる。
【００３７】
以下、マスタペーパ３及びスレーブペーパ４を総称して電子ペーパ５と呼ぶこととする。そして、電子ペーパ５は、両面にそれぞれ表面表示部５１、及び裏面表示部５２を備えているので、図２及び図３に示すように、本のように見開きの状態にして表面表示部５１及び裏面表示部５２に表示されている情報を閲覧することができる。
【００３８】
なお、図１乃至図３に示す電子ペーパ５では、短辺綴じ穴２０が上、長辺綴じ穴３０が左に来る面を表面とし、その反対側の面を裏面とする。以下、マスタペーパ３の表面に設けられた表示部を表面表示部１５１、マスタペーパ３の裏面に設けられた表示部を裏面表示部１５２といい、スレーブペーパ４の表面に設けられた表示部を表面表示部２５１、スレーブペーパ４の裏面に設けられた表示部を裏面表示部２５２というが（図７、図１５参照）、マスタペーパ３及びスレーブペーパ４の別なく、電子ペーパ５の表面に設けられている表示部をさす場合には表面表示部５１といい、同じく電子ペーパ５の裏面に設けられている表示部をさす場合には裏面表示部５２ということとする。
【００３９】
また、図１乃至図３に示すように、短辺綴じ穴２０は、穴の形状が楕円である短辺綴じ穴２１，穴の形状が長方形である短辺綴じ穴２２，２３，２４の４つの短辺綴じ穴から成り、長辺綴じ穴３０は、穴の形状が楕円である長辺綴じ穴３１，穴の形状が長方形である長辺綴じ穴３２，３３，３４の４つの長辺綴じ穴から成る。電子ペーパ５を表面から見た際に、穴の形状が楕円である短辺綴じ穴２１は、４つの短辺綴じ穴のうちの一番左にあり、穴の形状が楕円である長辺綴じ穴３１は、４つの長辺綴じ穴のうちの一番上にある。したがって、複数の電子ペーパ５を重ねて綴じ部材１０により綴じる際に、電子ペーパ５の上下がさかさまであることに気づきやすい。つまり、長辺綴じ穴３０で複数の電子ペーパ５を綴じようとして、表面が手前に来るように重ねているつもりの場合に、裏面が手前に来ているような電子ペーパ５がある場合には、長辺綴じ穴３４において、長方形でない楕円の綴じ穴３１が重ねられることになり、ユーザは電子ペーパ５がすべて同じ向きに重ねられていないことに気づくことができる。
【００４０】
そして、本発明の表示装置１では、図３に示すように、長辺綴じ穴３０で電子ペーパ５が綴じ部材１０により綴じられている場合には、見開きで開かれている表面表示部５１及び裏面表示部５２を左から右、若しくは右から左に読み進めるように画像が表示される。図３における左側の電子ペーパ５においては裏面表示部５２が表に出ており、右側の電子ペーパ５においては表面表示部５１が表に出ている。そして、表面表示部５１、裏面表示部５２ともに、図３における上方向に表面表示部５１及び裏面表示部５２の上が配置されるように、つまり、短辺綴じ穴２０が上にくるように配置されており、表示される画像も図３における上方向に画像の上がくるように表示されている。つまり、裏面表示部５２、表面表示部５１ともに、表示部の上下方向と表示される画像の上下方向が同じ方向となっている。
【００４１】
一方、図２に示すように、短辺綴じ穴２０で電子ペーパ５が綴じ部材１０により綴じられている場合には、見開きで開かれている表面表示部５１及び裏面表示部５２を上から下に読み進めるように画像が表示される。つまり、図２における上側の電子ペーパ５においては、裏面表示部５２が表に出ており、下側の電子ペーパ５においては、表面表示部５１が表に出ている。そして、上側の電子ペーパ５においては、図２における上方向に裏面表示部５２の下が配置され、図２における上方向に、表示される画像の上がくるように表示されている。そして、下側の電子ペーパ５においては、図２における上方向に表面表示部５１の上が配置され、図２における上方向に表示される画像の上がくるように表示されている。
【００４２】
すなわち、電子ペーパ５が短辺綴じ穴２０で綴じられているか、長辺綴じ穴３０で綴じられているかにより裏面表示部５２に表示される画像の向きが異なる。そこで、第一の実施の形態の表示装置では、マスタペーパ３において裏面表示部５２に表示される画像の向きの制御が行われ、第二の実施の形態の表示装置では、スレーブペーパ４において裏面表示部５２に表示される画像の向きの制御が行われ、第三の実施の形態の表示装置では、表示装置１に表示する画像のデータを作成するパーソナルコンピュータにおいて裏面表示部５２に表示される画像の向きの制御が行われる。
【００４３】
ここで、第一〜第三の実施の形態の表示装置で共通する電子ペーパ５及び綴じ部材１０について、図１及び図４を参照して説明する。図４は、電源供給用リング１１の断面を示す模式図である。
【００４４】
前述したように電子ペーパ５には、図１に示すように、短辺綴じ穴２０及び長辺綴じ穴３０が設けられている。短辺綴じ穴２０は、図１における左から順に、電源供給用短辺綴じ穴２１，接地用短辺綴じ穴２２，通信用短辺綴じ穴２３，位置検出用短辺綴じ穴２４の４つの綴じ穴から構成されており、長辺綴じ穴３０は、図１における上から順に電源供給用長辺綴じ穴３１，接地用長辺綴じ穴３２，通信用長辺綴じ穴３３，位置検出用長辺綴じ穴３４の４つの綴じ穴から構成されている。そして、綴じ部材１０は、電源供給用リング１１，接地用リング１２，通信用リング１３，位置検出用リング１４の４つのリングで構成されている。
【００４５】
そして、電源供給用短辺綴じ穴２１及び電源供給用長辺綴じ穴３１には電源供給用リング１１を挿入し、接地用短辺綴じ穴２２及び接地用長辺綴じ穴３２には接地用リング１２を挿入し、通信用短辺綴じ穴２３及び通信用長辺綴じ穴３３には通信用リング１３を挿入し、位置検出用短辺綴じ穴２４及び位置検出用長辺綴じ穴３４には位置検出用リング１４を挿入して、電子ペーパ５が綴じられる。なお、スレーブペーパ４の短辺綴じ穴２０及び長辺綴じ穴３０の周囲には導電性のブラシ（図示外）が綴じ穴の中心に向かって設置されており、ブラシと各リングが確実に接触するようになっている。
【００４６】
そして、電源供給用リング１１はマスタペーパ３に備えられているバッテリー６４（図７参照）に接続され、スレーブペーパ４へ電源を供給する。ここで、図４を参照して、電源供給用リング１１について説明する。図４に示すように、電源供給用リング１１は、その端部１１９１，１１９２で切断された開閉式の環であり、可撓性を有している。そして、ユーザは、端部１１９１，１１９２を離す、すなわち、開閉部１１９を開くことにより、リングを撓ませ、開閉部１１９から電子ペーパ５を着脱させることができる。ここでは、図４に示すように、電源供給用リング１１の開閉部１１９の図４における右側の端部を端部１１９１、左側の端部を端部１１９２とする。
【００４７】
電源供給用リング１１の内部は絶縁体１１３であり、その絶縁体１１３は表面が導体１１４で覆われている。そして、図４に示すように、電源供給用リング１１には凸部１１２が設けられており、この凸部１１２は導体１１４で覆われていない。さらに、端部１１９１，１１９２も、導体１１４で覆われておらず、開閉部１１９が閉じられている状態において、導体同士が接触することはない。そして、絶縁体１１３の内部には１本の導線１１６が埋め込まれている。この導線１１６の一端は凸部１１２から外部接続可能となっており、他の一端は導体１１４の端部１１９１側の端に設けられた接続点１１６２で導体１１４に接続されている。
【００４８】
なお、マスタペーパ３の電源供給用短辺綴じ穴２１及び電源供給用長辺綴じ穴３１の内部には、１つの凹部が設けられており、マスタぺーパ３が電源供給用リング１１に固定される。この凹部は、電源供給用短辺綴じ穴２１であれば、電源供給用短辺綴じ穴２１内のマスタペーパ３の端側に設けられており、電源供給用長辺綴じ穴３１であれば、電源供給用長辺綴じ穴３１内のマスタペーパ３の端側に設けられている。そして、マスタペーパ３の内側の凹部には、バッテリー６４（図７参照）に接続された導線の一端が接続されている。したがって、マスタペーパ３の凹部に電源供給用リング１１の凸部１１２が嵌合され、マスタペーパ３に電源供給用リング１１が固定されている場合には、導線１１６にはバッテリー６４から５Ｖの電圧が印加され、導線１１６の接続点１１６２から導体１１４に電流が流れることになる。
【００４９】
そして、スレーブペーパ４の電源供給用短辺綴じ穴２１及び電源供給用長辺綴じ穴３１の内側には、導電性のブラシが設けられており、導体１１４と接触している。そしで、このブラシから取得された電源がスレーブペーパ４を駆動させるための電源とされる。そして、接地用リング１２は、マスタペーパ３に備えられている０Ｖのアース６５（図７参照）に接続され、スレーブペーパ４からの接地に利用される。通信用リング１３は、マスタペーパ３に備えられている通信部３５及びスレーブペーパ４に備えられている通信部４５を接続し、電子ペーパ５間で情報のやり取りを行うのに使用される。位置検出用リング１４は、各スレーブペーパ４及びマスタペーパ３がどのような順で綴じ部材１０に綴じられているかを検出するのに利用される。
【００５０】
さらに、電源供給用リング１１は、電子ペーパ５の綴じ位置を検出する際に利用される。第一の実施の形態及び第三の実施の形態では、マスタペーパ３において綴じ位置が検出され、第二の実施の形態では、マスタペーパ３及びスレーブペーパ４において綴じ位置が検出される。この綴じ位置の検出方法については、第一の実施の形態及び第二の実施の形態においてそれぞれ詳述する。なお、「綴じ位置」とは、短辺綴じ穴２０で綴じられているか、長辺綴じ穴３０で綴じられているかを示すものであり、短辺綴じ穴２０で綴じられていることを「短辺綴じ」、長辺綴じ穴３０で綴じられていることを「長辺綴じ」ということとする。
【００５１】
次に、図５，図６を参照して、位置検出用リング１４及び位置検出用リング１４による電子ペーパ５の綴じ順序の検出方法について説明する。図５は、位置検出用リング１４の断面を示す模式図であり図６は、位置検出用リング１４に１枚のマスタペーパ３と４枚のスレーブペーパ４とが綴じられている状態を示す模式図である。
【００５２】
図５に示すように、位置検出用リング１４は、その端部１４９１，１４９２で切断された開閉式の環であり、可撓性を有している。そして、ユーザは、端部１４９１，１４９２を離す、すなわち、開閉部１４９を開くことにより、リングを撓ませ、開閉部１４９から電子ペーパ５を着脱させることができる。ここでは、図５に示す、位置検出用リング１４の開閉部１４９の図５における右側の端部を端部１４９１、左側の端部を端部１４９２とする。
【００５３】
位置検出用リング１４の内部は絶縁体１４３であり、その絶縁体１４３は表面がカーボン等の電気抵抗体１４４で覆われている。そして、図５に示すように、位置検出用リング１４には凸部１４１，１４２が設けられており、この凸部１４１，１４２は電気抵抗体１４４で覆われていない。さらに、端部１４９１，１４９２も、電気抵抗体１４４で覆われておらず、開閉部１４９が綴じられている状態において、電気抵抗体同士が接触することはない。
【００５４】
そして、絶縁体１４３の内部には２本の導線１４６，１４７が埋め込まれている。この導線１４６の一端は凸部１４２から外部接続可能となっており、他の一端は電気抵抗体１４４の端部１４９１側の端に設けられた接続点１４６２で電気抵抗体１４４に接続されている。そして、導線１４７の一端は凸部１４１から外部に接続可能となっており、他の一端は電気抵抗体１４４の端部１４９２側の端に設けられた接続点１４７２に接続している。
【００５５】
さらに、開閉部１４９の端部１４９１には、位置検出用リング１４の開閉を検出するスイッチ１４８が設けられている。このスイッチ１４８は、感圧センサであり、位置検出用リング１４が綴じられているとＯＮを検出し、開放されているとＯＦＦの状態となる。そして、このスイッチ１４８は、位置検出用リング１４の絶縁体１４３の内部に埋め込まれた導線１４８１の一端に接続され、導線１４８１の他端は凸部１４２から外部に接続可能となっている。
【００５６】
なお、マスタペーパ３の位置検出用短辺綴じ穴２４及び位置検出用長辺綴じ穴３４の内部には、２つの凹部が設けられており、マスタぺーパ３が位置検出用リング１４に固定される。この凹部は、位置検出用短辺綴じ穴２４であれば、マスタペーパ３の長手方向に平行に向かい合う位置に設けられており、位置検出用長辺綴じ穴３４であれば、マスタペーパ３の短手方向に平行に向かい合う位置に設けられている。そして、マスタペーパ３の内側の凹部には、バッテリー６４（図７参照）に接続された導線の一端及び開閉検出部３８（図７参照）に接続された導線の一端が接続されており、外側の凹部には、アース６５（図７参照）に接続された導線の一端が接続されている。
【００５７】
したがって、位置検出用リング１４の凸部１４１，１４２にマスタペーパ３の凹部を嵌合させ、マスタペーパ３を位置検出用リング１４に固定させると、導線１４６にはバッテリー６４から５Ｖの電圧が印加され、導線１４６の接続点１４６２から電気抵抗体１４４に電流が流れ、導線１４７の接続点１４７２から導線１４７へ、そしてアース６５へ電流が流れることとなる。ここで、端部１４９１，１４９２が電気抵抗体１４４で覆われていないので、開閉部１４９が綴じられている状態で端部１４９１，１４９２がショートすることがない。バッテリー６４から供給された電力は、電気抵抗体１４４を流れる間に、電気抵抗体１４４の抵抗により電圧は下がり、位置検出用リング１４の端部１４９１から端部１４９２へ向かって、電圧が下がることとなる。
【００５８】
また、スレーブペーパ４には、電圧計である短辺位置電圧計測部４７及び長辺位置電圧計測部４８が設けられている。そして、位置検出用短辺綴じ穴２４に設けられたブラシが短辺位置電圧計測部４７の端子として機能し、位置検出用短辺綴じ穴２４に位置検出用リング１４が挿入されている際に、位置検出用リング１４に流れている電流の電圧を計測することができる。そして、位置検出用長辺綴じ穴３４に設けられたブラシが長辺位置電圧計測部４８の端子として機能し、位置検出用長辺綴じ穴３４に位置検出用リング１４が挿入されている際に、位置検出用リング１４に流れている電流の電圧を計測することができる。そして、短辺位置電圧計測部４７及び長辺位置電圧計測部４８で計測された電圧値は、位置検出部４６において、０〜２５５の値にＡ／Ｄ変換される。位置検出用リング１４では、位置検出用リング１４の端部１４９１から端部１４９２へ向かって電圧が下がるので、スレーブペーパ４の位置検出用リング１４内での配置位置により、短辺位置電圧計測部４７又は長辺位置電圧計測部４８で計測される電圧は異なった値となる。そこで、位置検出用リング１４の中でそのスレーブペーパ４が０〜２５５のどの位置にあるかを検出し、電子ペーパ５の綴じ順を検出することができる。なお、以下、Ａ／Ｄ変換した値をＡ／Ｄ変換値と呼ぶこととする。後述するページ順序管理テーブル（図１０参照）においては、このＡ／Ｄ変換値が位置検出用リング１４内での電子ペーパ５の位置を示す「環内位置」の値として使用される。
【００５９】
図６に示すように、本実施の形態では、マスタペーパ３の固定される凸部１４１，１４２が設けられている位置でマスタペーパ３により取得されるＡ／Ｄ変換値は「１２８」である。そして、端部１４９１にスレーブペーパ４が存在する場合には、スレーブペーパ４の短辺位置電圧計測部４７又は長辺位置電圧計測部４８において計測された電圧値が位置検出部４６においてＡ／Ｄ変換値「２５５」と検出され、図６における端部１４９１の右隣にスレーブペーパ４が存在する場合には、Ａ／Ｄ変換値は「２５４」と検出される。また、端部１４９２にスレーブペーパ４が存在する場合には、Ａ／Ｄ変換値は「０」と検出され、図６における端部１４９２の左隣にスレーブペーパ４が存在する場合には、Ａ／Ｄ変換値は「１」と検出される。そして、マスタペーパ３の図６における右隣にスレーブペーパ４が存在する場合にはＡ／Ｄ変換値は「１２９」と検出され、さらに右隣に存在する場合には「１３０」と検出される。また、マスタペーパ３の左隣にスレーブペーパ４が存在する場合にはＡ／Ｄ変換値は「１２７」と検出され、さらに左隣に存在する場合には「１２６」と検出され、さらに左隣に存在する場合には「１２５」と検出される。
【００６０】
次に、図１乃至図１４を参照して、第一の実施の形態の表示装置１について説明する。第一の実施の形態の表示装置では、マスタペーパ３において裏面表示部５２に表示される画像の向きの制御が行われる。まず、図７を参照して、表示装置１の電気的構成について説明する。図７は、表示装置１の電気的構成を示すブロック図である。
【００６１】
図７に示すように、表示装置１は、マスタペーパ３とスレーブペーパ４とから構成されている。なお、スレーブペーパ４は複数接続可能であるが、電気的構成はどのスレーブペーパ４でも同様であるため、図７においては１枚のスレーブペーパ４のみを記載している。
【００６２】
マスタペーパ３は、マスタペーパ３の全体を制御するＣＰＵ３０１と、プログラム等を記憶したＲＯＭ３０２と、データを一時的に記憶するＲＡＭ３０３と、マスタペーパ３の製造番号を記憶したＥＥＰＲＯＭ３０４とを備え、ＲＯＭ３０２とＲＡＭ３０３とＥＥＰＲＯＭ３０４とはバスを介してＣＰＵ３０１に接続されている。ＥＥＰＲＯＭ３０４に記憶された製造番号は、それぞれのマスタペーパ３に固有の番号であり、他のマスタペーパ３から一意に識別できるマスタペーパ３の識別情報である。さらに、画像を表示する表面表示部１５１と裏面表示部１５２とがバスを介してＣＰＵ３０１に接続されている。この表面表示部１５１はマスタペーパ３の表面に設けられた表示部であり、裏面表示部１５２はマスタペーパ３の裏面に設けられた表示部である。
【００６３】
そしてさらに、表面表示部１５１及び裏面表示部１５２に表示される画像のデータを記憶するメモリカード３７を読み込むためのメモリカードインタフェイス（Ｉ／Ｆ）１３７と、通信用リング１３に接続してスレーブペーパ４との間でデータ通信を行うための通信回路を備えた通信部３５と、時間を計測するための計時装置３６と、ＰＣと接続するためのＵＳＢインタフェイス（Ｉ／Ｆ）３９がバスを介してＣＰＵ３０１に接続されている。そして、位置検出用リング１４に設けられているスイッチ１４８（図５参照）に接続し、スイッチ１４８の状態を検知して位置検出用リング１４の開閉を検出する開閉検出部３８がバスを介してＣＰＵ３０１に接続されている。
【００６４】
さらに、マスタペーパ３及び綴じ部材１０に綴じられているスレーブペーパ４に電源を供給するバッテリー６４、表示装置１を安定して動作させるためのアース６５とが設けられている。バッテリー６４は、スレーブペーパ４への電源供給のために、電源供給用リング１１に接続しており、アース６５は、スレーブペーパ４の動作安定のために接地用リング１２に接続している。さらに、位置検出用リング１４へ電流を流すために、バッテリー６４及びアース６５は位置検出用リング１４に接続している。
【００６５】
さらに、マスタペーパ３には電圧計である短辺電源電圧計測部６２及び長辺電源電圧計測部６３が設けられている。短辺電源電圧計測部６２の端子は電源供給用短辺綴じ穴２１に設けられ、電源供給用短辺綴じ穴２１に電源供給用リング１１が挿入されている際に、電源供給用リング１１に流れている電流の電圧を計測することができる。そして、長辺電源電圧計測部６３の端子は電源供給用長辺綴じ穴３１に設けられ、電源供給用長辺綴じ穴３１に電源供給用リング１１が挿入されている際に、電源供給用リング１１に流れている電流の電圧を計測することができる。そして、短辺電源電圧計測部６２及び長辺電源電圧計測部６３は、綴じ位置検出部６１に接続しており、この綴じ位置検出部６１にて、短辺電源電圧計測部６２及び長辺電源電圧計測部６３で計測された電圧値は、０〜２５５の値にＡ／Ｄ変換される。計測された電圧をＡ／Ｄ変換する綴じ位置検出部６１もＣＰＵ５２にバスを介して接続されている。
【００６６】
なお、短辺電源電圧計測部６２及び長辺電源電圧計測部６３のいずれの電圧計測部で計測された電圧が「０Ｖ」より大きいか否かにより、「短辺綴じ」であるか、「長辺綴じ」であるかの判断が行われる。０Ｖ以上の電圧が計測された方で綴じられていると判断される。
【００６７】
一方、スレーブペーパ４は、スレーブペーパ４の全体を制御するＣＰＵ４０１と、プログラム等を記憶したＲＯＭ４０２と、データを一時的に記憶するＲＡＭ４０３と、スレーブペーパ４の製造番号を記憶したＥＥＰＲＯＭ４０４とを備え、ＲＯＭ４０２とＲＡＭ４０３とＥＥＰＲＯＭ４０４とはバスを介してＣＰＵ４０１に接続されている。ＥＥＰＲＯＭ４０４に記憶された製造番号は、それぞれのスレーブペーパ４に固有の番号であり、他のスレーブペーパ４から一意に識別できるスレーブペーパ４の識別情報である。さらに、画像を表示する表面表示部２５１と裏面表示部２５２とがバスを介してＣＰＵ４０１に接続されている。この表面表示部２５１はスレーブペーパ４の表面に設けられた表示部であり、裏面表示部２５２はスレーブペーパ４の裏面に設けられた表示部である。
【００６８】
そして、通信用リング１３に接続してマスタペーパ３との間でデータ通信を行うための通信回路を備えた通信部４５も同様にバスを介してＣＰＵ４０１に接続されている。さらに、位置検出用リング１４の電気抵抗体１４４（図５参照）に接続して、電気抵抗体１４４の電圧を計測する短辺位置電圧計測部４７及び長辺位置電圧計測部４８が設けられている。なお、短辺位置電圧計測部４７はスレーブペーパ４の位置検出用短辺綴じ穴２４に設けられており、長辺位置電圧計測部４８はスレーブペーパ４の位置検出用長辺綴じ穴３４に設けられている。そして、スレーブペーパ４がどの位置に配置されているかを検出するために短辺位置電圧計測部４７及び長辺位置電圧計測部４８に接続し、計測された電圧をＡ／Ｄ変換する位置検出部４６もＣＰＵ５２にバスを介して接続されている。
【００６９】
次に、図８乃至図１０を参照して、第一の実施の形態におけるマスタペーパ３のＲＡＭ３０３及びスレーブペーパ４のＲＡＭ４０３に設けられている記憶エリアについて説明する。図８は、マスタペーパ３のＲＡＭ３０３のデータ構造を示す構成図である。図９は、スレーブペーパ４のＲＡＭ４０３のデータ構造を示す構成図である。図１０は、ページ順序管理テーブル記憶エリア３３２に記憶されたページ順序管理テーブルのデータ構造を示す構成図である。
【００７０】
次に、図８を参照して、マスタペーパ３のＲＡＭ３０３について説明する。図８に示すように、ＲＡＭ３０３には、表示装置１に綴じられている電子ペーパ５の数を記憶する接続ペーパ数記憶エリア３３１、電子ペーパ５の綴じられている順序を示すページ順序管理テーブル（図１０参照）を記憶するページ順序管理テーブル記憶エリア３３２、表面表示部１５１，裏面表示部１５２へ画像を表示するための表示用データを記憶するページデータ展開エリア３３３、コンテンツ書き込み処理（図１３参照）において書き込みが行われる表示部が表面であるか裏面であるかを示す表裏フラグを記憶する表裏フラグ記憶エリア３３４、ペーパ順序決定処理（図１３参照）及びコンテンツ書き込み処理において使用される変数を記憶する変数記憶エリア３３５、電子ペーパ５が短辺綴じ穴２０で綴じられているか、長辺綴じ穴３０で綴じられているかを示す値を記憶する綴じ位置記憶エリア３３６等が設けられている。なお、ＲＡＭ３０３には、図示外のその他の記憶エリアも設けられている。
【００７１】
次に、図９を参照して、スレーブペーパ４のＲＡＭ４０３について説明する。図９に示すように、ＲＡＭ４０３には、位置検出部４６の検出結果である位置情報を記憶する接続位置記憶エリア４３１、表面表示部１５１，裏面表示部１５２へ画像を表示するための表示用データを記憶するためのページデータ展開エリア４３２、及び図示外のその他の記憶エリアが設けられている。
【００７２】
次に、図１０を参照して、マスタペーパ３のＲＡＭ３０３のページ順序管理テーブル記憶エリア３３２に記憶されたページ順序管理テーブルについて説明する。ページ順序管理テーブルには、綴じられている電子ペーパの順序を記憶するペーパ順序番号欄、各電子ペーパの製造番号を記憶する製造番号欄、電子ペーパ５の位置情報を０〜２５５の値で記憶する環内位置欄が設けられており、表示装置１に綴じられている電子ペーパ５についてのデータが各々格納されている。
【００７３】
次に、図１１乃至図１４を参照して、第一の実施の形態におけるマスタペーパ３での処理及びスレーブペーパ４での処理について説明する。図１１は、マスタペーパ３で実施されるマスタペーパメイン処理のフローチャートであり、図１２は、マスタペーパメイン処理の中で実施されるペーパ順序決定処理のフローチャートであり、図１３は、マスタペーパメイン処理の中で実施されるコンテンツ書き込み処理のフローチャートである。そして、図１４はスレーブペーパ４で実施されるスレーブペーパメイン処理のフローチャートである。
【００７４】
そこでまず、マスタペーパメイン処理で使用される変数について説明する。これらの変数はＲＡＭ３０３の変数記憶エリア３３５に記憶領域が設けられている。マスタペーパメイン処理では、「走査位置」、「コンテンツページ番号」、「ペーパ順序番号」が変数として使用される。「走査位置」は、位置検出用リング１４に対してスレーブペーパ４が配置されているかの問い合わせをする際に、１〜２５５の走査位置を指定するために使用される。「コンテンツページ番号」は、電子ペーパ５に画像を書き込む際に、コンテンツのページをカウントするために使用される。ペーパ順序番号は、コンテンツを表示する電子ペーパ５を特定するために使用される。さらに、変数記憶エリア３３５には、「応答待ちタイマ」の記憶領域が設けられている。この「応答待ちタイマ」は、タイマをセットする時刻に計測する時間が加算された値、すなわち、タイマによる計測が完了する時刻が記憶される。
【００７５】
さらに、ＲＡＭ３０３の表裏フラグ記憶エリア３３４には「表裏フラグ」の記憶領域が設けられており、「１」が記憶されている場合には「ｔｒｕｅ」とされて、電子ペーパ５の表面表示部５１に画像を表示することを示しており、「０」が記憶されている場合には「ｆａｌｓｅ」とされて、電子ペーパの裏面表示部５２に画像を表示することを示している。
【００７６】
次に、マスタペーパ３，スレーブペーパ４間で使用されるコマンドについて説明する。本発明に関係するマスタペーパ３からスレーブペーパ４へ送信されるコマンドは、「ＲＥＱＩＤ」コマンド、「ＲＥＱＦＲＯＮＴＷＲＩＴＥ」コマンド、「ＲＥＱＢＡＣＫＷＲＩＴＥ」コマンドの３種類であり、スレーブペーパ４からマスタペーパ３へ送信されるコマンドは「ＳＥＮＤＩＤ」コマンド、「ＳＥＮＤＤＯＮＥ」コマンドの２種類である。これらのコマンドは、通信用リング１３を介してマスタペーパ３，スレーブペーパ４間を授受される。
【００７７】
これらのコマンドは、（電子ペーパの種類，宛先位置，宛先製造番号，コマンド種類，添付データ）というフォーマットのデータとして送信される。「電子ペーパの種類」には、マスタペーパ３を示す「Ｍ」又はスレーブペーパ４を示す「Ｓ」がセットされる。「宛先位置」には、スレーブペーパ４へ送信されるコマンドである場合に、スレーブペーパ４の位置検出用リング１４における接続位置がセットされ、「宛先製造番号」には、スレーブペーパ４へ送信されるコマンドである場合に、スレーブペーパ４の製造番号がセットされる。そして、「コマンド種類」には「ＲＥＱＩＤ」，「ＲＥＱＦＲＯＮＴＥＲＩＴＥ」といったコマンドを示すアルファベットがセットされ、「添付データ」にはそれぞれのコマンドに応じたデータがセットされる。
【００７８】
「ＲＥＱＩＤ」コマンドは、指定されている走査位置に配置されているスレーブペーパ４に対して、製造番号の送信を要求するものである。スレーブペーパ４では、指定された走査位置が位置検出部４６により検出された値と同じである場合に、自身の製造番号を「ＳＥＮＤＩＤ」コマンドに載せてマスタペーパ３へ送信する。「ＲＥＱＩＤ」コマンドは（Ｓ，要求先のスレーブペーパ４の走査位置，＊，ＲＥＱＩＤ）のフォーマットのデータとして送信される。添付データはない。そして、「ＳＥＮＤＩＤ」コマンドは（Ｍ，＊，＊，ＳＥＮＤＩＤ，製造番号）のフォーマットのデータとして送信される。「製造番号」には本コマンドを送信するスレーブペーパ４の製造番号がセットされる。
【００７９】
そして、「ＲＥＱＦＲＯＮＴＷＲＩＴＥ」コマンドは、スレーブペーパ４の表面表示部２５１に表示させるコンテンツのページの画像データを送信するためのものであり、「ＲＥＱＢＡＣＫＷＲＩＴＥ」コマンドは、スレーブペーパ４の裏面表示部２５２に表示させるコンテンツのページのデータを送信するためのものである。そして、これらのコマンドを受けたスレーブペーパ４では、画像データを表示部２５１，２５２に表示させことを知らせるために「ＳＥＮＤＤＯＮＥ」コマンドをマスタペーパ３する。
【００８０】
「ＲＥＱＦＲＯＮＴＷＲＩＴＥ」コマンドは、（Ｓ，＊，送信先のスレーブペーパ４の製造番号，ＲＥＱＦＲＯＮＴＷＲＩＴＥ，展開データ）のフォーマットのデータとして送信される。そして、添付データとして表示させる画像の「展開データ」がセットされる。「ＲＥＱＢＡＣＫＷＲＩＴＥ」コマンドは「ＲＥＱＦＲＯＮＴＷＲＩＴＥ」コマンドと同様のフォーマットである。そして、「ＳＥＮＤＤＯＮＥ」コマンドは、（Ｍ，＊，＊，ＳＥＮＤＤＯＮＥ，ＮＵＬＬ）のフォーマットのデータとして送信される。そして、添付データには、表示が正常に終了したことを示す「ＮＵＬＬ」がセットされる。
【００８１】
ここで、マスタペーパメイン処理について、図１１のフローチャートを参照して説明する。本マスタペーパメイン処理は、表示装置１の電源が投入された際に開始される。この表示装置１は、パーソナルコンピュータ（以下、ＰＣという）から表示させるコンテンツの情報を受信し、メモリカード１３７に記憶させ、記憶されたコンテンツを電子ペーパ５の表示部５１，５２に表示させる。
【００８２】
まず、綴じ位置検出処理が行われ、マスタペーパ３が短辺綴じ穴２０で綴じられているか、長辺綴じ穴３０で綴じられているかが検出される（Ｓ１）。ここでは、短辺電源電圧計測部６２及び長辺電源電圧計測部６３において電圧が計測される。そして、計測された電圧値が綴じ位置検出部６１においてＡ／Ｄ変換される。ここで、綴じ穴に電源供給用リング１１が挿入されてなければ、その綴じ穴に設けられている電圧計測部では０Ｖが検出され、Ａ／Ｄ変換値は「０」となる。一方、電源供給用リング１１が挿入されていれば、電源供給用リング１１に流れている電流の電圧値を検出することになるので、「１２８」のＡ／Ｄ変換値を得ることとなる。
【００８３】
したがって、位置検出用短辺綴じ穴２４において電源供給用リング１１によりマスタペーパ３が綴じられている場合には、短辺電源電圧計測部６２から取得された電圧値のＡ／Ｄ変換値は「１２８」、長辺電源電圧計測部６３から取得された電圧値のＡ／Ｄ変換値は「０」となり、Ａ／Ｄ変換値が「０」以上である電源供給用短辺綴じ穴２１においてマスタペーパ３が綴じられていると判断され、綴じ位置記憶エリア３３６に「短辺綴じ」を示す「１」が記憶される。一方、電源供給用長辺綴じ穴３１において電源供給用リング１１によりマスタペーパ３が綴じられている場合には、長辺電源電圧計測部６３から取得された電圧値のＡ／Ｄ変換値は「１２８」、短辺電源電圧計測部６２から取得された電圧値のＡ／Ｄ変換値は「０」となり、Ａ／Ｄ変換値が「０」以上である位置検出用長辺綴じ穴３４においてマスタペーパ３が綴じられていると判断され、綴じ位置記憶エリア３３６に「長辺綴じ」を示す「０」が記憶される。
【００８４】
次いで、ＰＣからコンテンツを受信したか否かの判断が行われる（Ｓ２）。ＰＣからコンテンツを受信したら（Ｓ２：ＹＥＳ）、メモリカード１３７に受信されたコンテンツが記憶される（Ｓ３）。なお、ＰＣからコンテンツを受信しない場合には（Ｓ２：ＮＯ）、受信を待機する（Ｓ２：ＮＯ，Ｓ２）。そして、ペーパ順序決定処理が行われる（Ｓ４、図１２参照）。このペーパ順序決定処理では、綴じ部材１０により綴じられている電子ペーパ５の並び順が検出される。
【００８５】
ここで、図１２のフローチャートを参照して、ペーパ順序決定処理について説明する。まず、種々の初期化処理が行われる（Ｓ１１）。主なものは、位置検出用リング１４に対してスレーブペーパ４が配置されているか否かを問い合わせる位置を示す変数「走査位置」に初期値の「０」、綴じられている電子ペーパ５の数を計数するための変数「接続ペーパ数」にマスタペーパ３を計数した「１」が記憶される。そして、ページ順序管理テーブル記憶エリア３３２にマスタペーパ３に関する情報、すなわち、マスタペーパ３のＥＥＰＲＯＭ３０４に記憶されている製造番号及び位置検出用リング１４内での位置を示す「１２８」がそれぞれ製造番号欄及び環内位置欄に記憶される。
【００８６】
そして、スレーブペーパ４への問い合わせ（ＲＥＱＩＤコマンド）に対する応答（ＳＥＮＤＩＤコマンド）の受信を待機する応答待ちタイマがセットされる（Ｓ１２）。この応答待ちタイマには、現在の時刻に計測時間を足した値がセットされる。そして、ＲＥＱＩＤコマンドが送信される（Ｓ１３）。ここでは、変数「走査位置」の値「０」に配置されているスレーブペーパ４に対して送信される。走査位置「０」にスレーブペーパ４が配置されていれば、そのスレーブペーパ４から製造番号を載せたＳＥＮＤＩＤコマンドが返送されてくるが、スレーブペーパ４が配置されていなければ、いずれのスレーブペーパ４からの応答もない。
【００８７】
そこで、スレーブペーパ４からＳＥＮＤＩＤコマンドを受信すれば、応答があったとし、スレーブペーパ４が配置されているとして（Ｓ１４：ＹＥＳ）、ページ順序管理テーブルにスレーブペーパ４に関する情報、すなわち、ＳＥＮＤＩＤコマンドに載せられていた製造番号及び変数「走査位置」の示す値「０」がそれぞれ製造番号欄及び環内位置欄に記憶される（Ｓ１６）。そして、変数「接続ペーパ数」に「１」が加算される（Ｓ１７）。一方、スレーブペーパ４から応答（ＳＥＮＤＩＤコマンドの受信）がなければ（Ｓ１４：ＮＯ）、応答待ちタイマの時刻と現在の時刻を比較し、待ち時間を経過したか否かの判断が行われる（Ｓ１５）。応答待ちタイマの時刻が現在の時刻よりも後であり、待ち時間が経過していなければ（Ｓ１５：ＮＯ）、Ｓ１４へ戻り、スレーブペーパ４からの応答の判断が行われる（Ｓ１４）。そして、繰り返しＳ１４，Ｓ１５の処理が行われ、現在の時刻が応答待ちタイマの時刻よりも後であり、待ち時間を経過したら（Ｓ１５：ＹＥＳ）、その走査位置にはスレーブペーパ４が配置されていないとして、そのままＳ１８へ進む。
【００８８】
次いで、次の走査位置に対して問い合わせをするために、変数「走査位置」に「１」が加算され「１」とされる（Ｓ１８）。そして、変数「走査位置」が走査位置の最大数である「２５５」より上であるか否かの判断が行われる（Ｓ１９）。まだ走査位置は「１」であり、「２５５」より上でないので（Ｓ１９：ＮＯ）、Ｓ１２へ戻り、新たに応答待ちタイマがセットされ（Ｓ１２）、ＲＥＱＩＤコマンドが送信される（Ｓ１３）。そして、Ｓ１２〜Ｓ１９の処理が繰り返し実施され、変数「走査位置」が「２５５」より上となったら（Ｓ１９：ＹＥＳ）、位置検出用リング１４に綴じられているすべての電子ペーパ５の情報がページ順序管理テーブルに記憶され、接続ペーパ数も計数されたことになる。そこで、ページ順序管理テーブルに記憶されている情報が環内位置欄の値の昇順でソートされ（Ｓ２０）、ページ順序管理テーブルのペーパ順序番号が「１」から順に割り当てられる（Ｓ２１）。つまり、環内位置の値の小さい順にペーパ順序番号が「１」，「２」，「３」・・・と割り当てられる。そして、ペーパ順序決定処理は終了し、マスタペーパメイン処理へ戻る。
【００８９】
図１１に示すように、マスタペーパメイン処理では、電子ペーパ５が短辺綴じ（図２参照）であるか否かの判断が行われる（Ｓ５）。この判断は、綴じ位置記憶エリア３３６に記憶されている値が短辺綴じを示す値「１」であるか否かにより行われる。短辺綴じであれば（Ｓ５：ＹＥＳ）、メモリカード１３７に記憶されているコンテンツの偶数ページの画像が１８０度回転される（Ｓ６）。短辺綴じの場合には、電子ペーパ５を上下に配置して閲覧されるので、表面表示部５１に表示される画像の向きと裏面表示部５２に表示される画像の向きとを異なるもの、すなわち、逆にする必要がある。そこで、電子ペーパ５の裏面表示部５２に表示されるページであるコンテンツの偶数ページの画像が１８０度回転される。一方、短辺綴じを示す値「１」が記憶されていなければ、長辺綴じ（図３参照）であると判断される（Ｓ５：ＮＯ）。この場合には、電子ペーパ５は左右に配置されて閲覧されるので、表面表示部５１に表示される画像の向きと裏面表示部５２とに表示される画像の向きとは同じ向きでよい。よって、短辺綴じでなく長辺綴じである場合には（Ｓ５：ＮＯ）、画像の回転処理は行われない。
【００９０】
そして、コンテンツ書込処理が行われる（Ｓ７、図１３参照）。このコンテンツ書込処理では、メモリカード１３７に記憶されているコンテンツの画像が電子ペーパ５の表面表示部５１及び裏面表示部５２に表示される。ここで、コンテンツ書込処理について、図１３のフローチャートを参照して説明する。
【００９１】
まず、図１３に示すように、種々の初期化処理が行われる（Ｓ３１）。具体的には、表示するコンテンツのページを示す変数「コンテンツページ番号」に初期値の「１」が記憶され、コンテンツが表示される電子ペーパ５の順番を示す変数「ペーパ順序番号」に初期値の「１」が記憶され、表裏フラグに「１」が記憶されて「ｔｒｕｅ」とされる。
【００９２】
そして、変数「ペーパ順序番号」の値が接続ペーパ数記憶エリア３３１に記憶されている値よりも大きいか否かの判断が行われる（Ｓ３２）。ペーパ順序番号は、次にコンテンツを表示させる電子ペーパ５の順番なので、これが接続ペーパ数よりも大きければ（Ｓ３２：ＹＥＳ）、すべての電子ペーパ５への表示が終了したことになる。そこで、本処理は終了する。ここでは、一例として接続ペーパ数は「４」とする。しかし、変数「ペーパ順序番号」はＳ３１で初期値の「１」が与えられているので、接続ペーパ数「４」よりも大きくないと判断される（Ｓ３２：ＮＯ）。
【００９３】
そして、変数「コンテンツページ番号」の値がコンテンツのページ数よりも大きくなったか否かの判断が行われる（Ｓ３３）。コンテンツページ番号は、次に表示させるコンテンツのページ番号を示しているので、コンテンツのページ数よりも大きければ（Ｓ３３：ＹＥＳ）、表示させるページがないということになるので、本処理は終了する。なお、コンテンツのページ数は、メモリカード１３７にコンテンツの各ページの画像データと共に記憶されている。ここでは、一例としてコンテンツページ数を「７」とする。ここでは、Ｓ３１において変数「コンテンツページ番号」に初期値の「１」が記憶されているので、コンテンツページ数「７」よりも大きくないと判断される（Ｓ３３：ＮＯ）。
【００９４】
そして、変数「コンテンツページ番号」の値「１」のページ番号のコンテンツの画像が表示部５１，５２に表示可能な形式のデータに展開され、ページデータ展開エリア３３３に記憶される（Ｓ３４）。そして、次に表示させる電子ペーパ５がマスタペーパ３であるか否かの判断が行われる（Ｓ３５）。ページ順序管理テーブルに記憶されている製造番号の最初の一桁が「Ｍ」である電子ペーパ５がマスタペーパ３である。そこで、変数「ペーパ順序番号」の値のデータの製造番号が読み出され、最初の一桁が「Ｍ」であるか否かの判断が行われる。最初の一桁が「Ｍ」であれば、次に表示が行われる電子ペーパ５はマスタペーパ３であるということである。一方、「Ｍ」でなく「Ｓ」であれば、次に表示が行われる電子ペーパ５はスレーブペーパ４であるということである。
【００９５】
ここでは、図１０に示す例のように、マスタペーパ３はペーパ順序番号「２」であるとして説明する。変数「ペーパ順序番号」は「１」であり、ペーパ順序番号「１」の電子ペーパ５の製造番号は「Ｓ００２３４」はスレーブペーパ４であるので、次に表示が行われる電子ペーパ５がマスタペーパ３でないと判断される（Ｓ３５：ＮＯ）。そして、表裏フラグが「ｔｒｕｅ」であるか否かの判断が行われる（Ｓ４２）。表裏フラグはＳ３１において初期値として「ｔｒｕｅ」とされているので（Ｓ４２：ＹＥＳ）、ページデータ展開エリア３３３に記憶されている展開データを製造番号「Ｓ００２３４」のスレーブペーパ４の表面表示部２５１に表示させる必要がある。そこで、ＲＥＱＦＲＯＮＴＷＲＩＴＥコマンドが製造番号「Ｓ００２３４」のスレーブペーパ４へ送信される（Ｓ４７）。具体的には、（Ｓ，＊，Ｓ００２３４，ＲＥＱＦＲＯＮＴＷＲＩＴＥ，展開データ）というコマンドが送信される。そして、製造番号「Ｓ００２３４」のスレーブペーパ４から応答されるＳＥＮＤＤＯＮＥコマンドの受信処理が行われる（Ｓ４８）。そして、ＳＥＮＤＤＯＮＥコマンドを受信したら、同じスレーブペーパ４の裏面表示部５２へ次の表示を行うために、表裏フラグが「ｆａｌｓｅ」とされる（Ｓ４９）。同じスレーブペーパ４に表示させるため、ペーパ順序番号の値は変更されない。なお、スレーブペーパ４からＳＥＮＤＤＯＮＥコマンドを受信できない場合には、エラーの処理が行われて、メイン処理へ戻る。
【００９６】
そして、変数「コンテンツページ番号」に「１」が加算されて「２」とされる（Ｓ５０）。そして、Ｓ３２へ戻る。この時点では、コンテンツページ番号「２」、ペーパ順序番号「１」、表裏フラグ「ｆａｌｓｅ」である。よって、ペーパ順序番号は接続ペーパ数よりも大きくないと判断され（Ｓ３２：ＮＯ）、コンテンツページ番号はコンテンツページ数よりも大きくないと判断され（Ｓ３３：ＮＯ）、２ページ目のコンテンツの画像がページデータ展開エリア３３３に記憶される（Ｓ３４）。そして、ペーパ順序番号「１」の電子ペーパ５の製造番号は「Ｓ００２３４」はスレーブペーパ４であり（Ｓ３５：ＮＯ）、表裏フラグは「ｆａｌｓｅ」である（Ｓ４２：ＮＯ）。
【００９７】
よって、ページデータ展開エリア３３３に記憶されている展開データを製造番号「Ｓ００２３４」のスレーブペーパ４の裏面表示部２５２に表示させる必要がある。そこで、ＲＥＱＢＡＣＫＷＲＩＴＥコマンドが製造番号「Ｓ００２３４」のスレーブペーパ４へ送信される（Ｓ４３）。具体的には、（Ｓ，＊，Ｓ００２３４，ＲＥＱＢＡＣＫＷＲＩＴＥ，展開データ）というコマンドが送信される。そして、製造番号「Ｓ００２３４」のスレーブペーパ４から応答されるＳＥＮＤＤＯＮＥコマンドの受信処理が行われる（Ｓ４４）。そして、ＳＥＮＤＤＯＮＥコマンドを受信したら、次の順番の電子ペーパ５の表面表示部５１へ次の表示を行うために、表裏フラグが「ｔｒｕｅ」とされる（Ｓ４５）。そして、変数「ペーパ順序番号」に「１」が加算され「２」とされる（Ｓ４６）。なお、スレーブペーパ４からＳＥＮＤＤＯＮＥコマンドを受信できない場合には、エラーの処理が行われて、メイン処理へ戻る。
【００９８】
そして、変数「コンテンツページ番号」に「１」が加算されて「３」とされる（Ｓ５０）。そして、Ｓ３２へ戻る。この時点では、コンテンツページ番号「３」、ペーパ順序番号「２」、表裏フラグ「ｔｒｕｅ」である。よって、ペーパ順序番号は接続ペーパ数よりも大きくないと判断され（Ｓ３２：ＮＯ）、コンテンツページ番号はコンテンツページ数よりも大きくないと判断され（Ｓ３３：ＮＯ）、２ページ目のコンテンツの画像がページデータ展開エリア３３３に記憶される（Ｓ３４）。そして、ペーパ順序番号「２」の電子ペーパ５の製造番号は「Ｍ００００１」は、最初の一桁が「Ｍ」でありマスタペーパ３であると判断される（Ｓ３５：ＹＥＳ）。
【００９９】
そして、表裏フラグが「ｔｒｕｅ」であるか否かの判断が行われる（Ｓ３６）。表裏フラグは「ｔｒｕｅ」なので（Ｓ３６：ＹＥＳ）、ページデータ展開エリア３３３に記憶されている展開データを製造番号「Ｍ００００１」のマスタペーパ３の表面表示部１５１に表示させる必要がある。そこで、ページデータ展開エリア３３３に記憶されている展開データがマスタペーパ３、つまり、自身の表面表示部１５１に表示される（Ｓ４０）。そして、同じマスタペーパ３の裏面表示部５２へ次の表示を行うために、表裏フラグが「ｆａｌｓｅ」とされる（Ｓ４１）。同マスタペーパ３に表示させるため、ペーパ順序番号の値は変更されない。
【０１００】
そして、変数「コンテンツページ番号」に「１」が加算されて「４」とされる（Ｓ５０）。そして、Ｓ３２へ戻る。この時点では、コンテンツページ番号「４」、ペーパ順序番号「２」、表裏フラグ「ｆａｌｓｅ」である。よって、ペーパ順序番号は接続ペーパ数よりも大きくないと判断され（Ｓ３２：ＮＯ）、コンテンツページ番号はコンテンツページ数よりも大きくないと判断され（Ｓ３３：ＮＯ）、２ページ目のコンテンツの画像がページデータ展開エリア３３３に記憶される（Ｓ３４）。そして、ペーパ順序番号「２」の電子ペーパ５の製造番号は「Ｍ００００１」は、最初の一桁が「Ｍ」でありマスタペーパ３であると判断され（Ｓ３５：ＹＥＳ）、表裏フラグは「ｔｒｕｅ」でないので（Ｓ３６：ＮＯ）、ページデータ展開エリア３３３に記憶されている展開データを製造番号「Ｍ００００１」のマスタペーパ３の裏面表示部１５２に表示させる必要がある。そこで、ページデータ展開エリア３３３に記憶されている展開データがマスタペーパ３、つまり、自身の裏面表示部１５２に表示される（Ｓ３７）。そして、次の順番の電子ペーパ５の表面表示部５１へ次の表示を行うために、表裏フラグが「ｔｒｕｅ」とされる（Ｓ３８）。そして、変数「ペーパ順序番号」に「１」が加算され「３」とされる（Ｓ３９）。
【０１０１】
そして、変数「コンテンツページ番号」に「１」が加算されて「３」とされる（Ｓ５０）。そして、Ｓ３２へ戻る。このようにして、Ｓ３２〜Ｓ５０の処理が繰り返し実施されて、ページ順序管理テーブルに記憶されている順に電子ペーパ５にコンテンツの各ページが表示される。そして、コンテンツページ番号が「８」となと、コンテンツページ番号がコンテンツページ数よりも大きいと判断され（Ｓ３３：ＹＥＳ）、本処理は終了し、メイン処理へ戻る。また、コンテンツページ数が４枚の電子ペーパ５で表示可能な８ページよりも大きい場合には、ペーパ順序番号が接続ペーパ数「４」よりも大きくなった時点で（Ｓ３２：ＹＥＳ）、本処理は終了し、メイン処理へ戻る。
【０１０２】
そして、図１１に示すように、メイン処理では、コンテンツ書込処理が終了すると（Ｓ７）、Ｓ１へ戻り、ペーパの綴じ位置検出処理が行われ（Ｓ１）、ＰＣからのコンテンツ受信が待機される（Ｓ２：ＮＯ、Ｓ２）。
【０１０３】
次に、図１４のフローチャートを参照して、スレーブペーパ４における処理を説明する。この処理も、マスタペーパメイン処理と同様に、表示装置１の電源が投入された際に開始される。まず、接続位置の更新が行われる（Ｓ６０）。具体的には、位置検出用リング１４のどの位置に当該スレーブペーパ４が配置されているかを示すＡ／Ｄ変換値が取得される。短辺位置電圧計測部４７及び長辺位置電圧計測部４８において電圧が計測され、位置検出部４６において電圧計測部４７，４８からＡ／Ｄ変換される。そして、位置検出用リング１４が挿入されている方の位置検出用綴じ穴２４，３４においては「０」〜「２５５」の値が得られる。このＡ／Ｄ変換値が接続位置記憶エリア４３１に記憶される。
【０１０４】
そして、他の電子ペーパ５から送信されるコマンドの受信処理が行われる（Ｓ６１）。なお、他の電子ペーパ５からのコマンドの送信がない場合には（Ｓ６２：ＮＯ）、接続位置の更新（Ｓ６０）に戻る。そして、コマンドを受信したら（Ｓ６２：ＹＥＳ）、「宛先位置」に自身の接続位置がセットされているか否かにより、自身に送信されたコマンドであるか否かの判断が行われる（Ｓ６３）。具体的には、送信されたデータの２つ目の項目にセットされている値と、接続位置記憶エリア４３１に記憶されている値とが同じ値であるか否かの判断が行われる。宛先位置と接続位置が同じであり、自身に宛てられたコマンドであれば（Ｓ６３：ＹＥＳ）、「コマンド種類」がＲＥＱＩＤであるか否かの判断が行われる。４つ目の項目にセットされている値が「ＲＥＱＩＤ」であれば（Ｓ７１：ＹＥＳ）、マスタペーパ３から製造番号の送信を依頼されているので、自身の製造番号を載せたＳＥＮＤＩＤコマンドをマスタペーパ３へ送信する必要がある。そこで、（Ｍ，＊，＊，ＳＥＮＤＩＤ，ＥＥＰＲＯＭ３０４に記憶されている製造番号）というデータが作成され、通信部４５から送信される（Ｓ７２）。そして、Ｓ６０へ戻る。また、「コマンド種類」がＲＥＱＩＤでなければ（Ｓ７１：ＮＯ）、スレーブペーパ４で処理すべきコマンドでないので、そのままＳ６０へ戻る。
【０１０５】
また、「宛先位置」に自身の接続位置がセットされていなければ（Ｓ６３：ＮＯ）、「宛先製造番号」が自身の製造番号であるか否かの判断が行われる（Ｓ６４）。具体的には、送信されたデータの３つ目の項目にセットされている値と、ＥＥＰＲＯＭ３０４に記憶されている製造番号とが同じ値であるか否かの判断が行われる。「宛先製造番号」の値が自身の製造番号でなければ（Ｓ６４：ＮＯ）、自身に宛てられたコマンドでないので、そのままＳ６０へ戻る。一方、「宛先製造番号」の値が自身の製造番号であれば（Ｓ６４：ＹＥＳ）、自身に宛てられたコマンドであるので、コマンドの種類が確認され（Ｓ６５〜Ｓ６７）、それぞれのコマンドに対応した処理が行われる。
【０１０６】
「コマンド種類」が「ＲＥＱＦＲＯＮＴＷＲＩＴＥ」であれば（Ｓ６５：ＹＥＳ）、送信されたデータの５つ目の項目の「添付データ」にセットされている展開データがＲＡＭ４０３のページデータ展開エリア４３２に記憶される（Ｓ７６）。そして、ページデータ展開エリア４３２の展開データが表面表示部２５１に表示される（Ｓ７７）。そして、表示が完了したコマンドを示すＳＥＮＤＤＯＮＥコマンドがマスタペーパ３へ送信され（Ｓ７８）。具体的には（Ｍ，＊，＊，ＳＥＮＤＤＯＮＥ，ＮＵＬＬ）というデータが通信部４５から送信される。そして、Ｓ６０へ戻る。
【０１０７】
また、「コマンド種類」が「ＲＥＱＢＡＣＫＷＲＩＴＥ」であれば（Ｓ６５：ＮＯ，Ｓ６６：ＹＥＳ）、送信されたデータの５つ目の項目の「添付データ」にセットされている展開データがＲＡＭ４０３のページデータ展開エリア４３２に記憶される（Ｓ８１）。そして、ページデータ展開エリア４３２の展開データが裏面表示部２５２に表示される（Ｓ８２）。そして、表示が完了したコマンドを示すＳＥＮＤＤＯＮＥコマンドがマスタペーパ３へ送信される（Ｓ８３）。具体的には（Ｍ，＊，＊，ＳＥＮＤＤＯＮＥ，ＮＵＬＬ）というデータが通信部４５から送信される。そして、Ｓ６０へ戻る。
【０１０８】
また、「コマンド種類」がその他のものであれば（Ｓ６７：ＹＥＳ）、それぞれのコマンドに応じた処理が行われ（Ｓ８６）、Ｓ６０へ戻る。その他のコマンドについては、本発明の要部でないので、説明を省略する。また、「コマンド種類」がその他のコマンドでもなければ（Ｓ６７：ＮＯ）、そのままＳ６０へ戻る。
【０１０９】
そして、再度、接続位置の更新が行われ（Ｓ６０）、コマンドの受信処理が行われる（Ｓ６１）。そして、コマンドを受信すると（Ｓ６２：ＹＥＳ）、それに応じた処理が行われている（Ｓ６３〜Ｓ８６）。このようにして、Ｓ６０〜Ｓ８６の処理が繰り返し実施されることにより、マスタペーパ３からのコマンドの指示に応じて、表面表示部２５１及び裏面表示部２５２への表示及び接続位置の取得が行われる。
【０１１０】
以上のようにして、表示装置１が短辺綴じである場合には、マスタペーパ３において、コンテンツの偶数ページの画像データを１８０度回転させておくことにより、表面表示部５１と裏面表示部５２とに表示される画像を逆の向きにすることができる。よって、スレーブペーパ４では、マスタペーパ３からＲＥＱＦＲＯＮＴＷＲＩＴＥコマンド及びＲＥＱＢＡＣＫＷＲＩＴＥコマンドに添付されている展開データを表面表示部２５１又は裏面表示部２５２へ表示させるだけでよい。そして、綴じ位置により表面表示部５１と裏面表示部５２とに表示される画像が自動的に逆の向きになるので、ユーザは綴じ位置を指示する必要がなく、手間なく望ましい方向に画像を表示させることができる。
【０１１１】
そして、上記第一の実施の形態の表面表示部５１及び裏面表示部５２が「表示手段」に該当する。図１１に示すマスタペーパメイン処理のＳ５及びＳ６の処理を行うマスタペーパ３のＣＰＵ３０１が「向き制御手段」に相当し、図１１に示すマスタペーパメイン処理のＳ５の処理を行うマスタペーパ３のＣＰＵ３０１が「向き決定手段」に相当し、図１１に示すマスタペーパメイン処理のＳ６の処理を行うマスタペーパ３のＣＰＵ３０１が「向き調整手段」に相当する。そして、図１１に示すマスタペーパメイン処理のＳ１の処理を行うマスタペーパ３のＣＰＵ３０１及び図７に示す綴じ位置検出部６１，短辺電源電圧計測部６２，長辺電源電圧計測部６３が「綴じ位置検出手段」に相当し、綴じ位置検出部６１及び短辺電源電圧計測部６２が「電圧値計測手段」に相当し、図１１に示すマスタペーパメイン処理のＳ１の処理を行うマスタペーパ３のＣＰＵ３０１が「綴じ判断手段」に相当する。そして、図１１に示すマスタペーパメイン処理のＳ５，Ｓ６，Ｓ７の処理を行うマスタペーパ３のＣＰＵ３０１が「第一送信手段」に相当し、図１４に示すスレーブペーパメイン処理のＳ６５，Ｓ７６，Ｓ７７，Ｓ６６，Ｓ８１、Ｓ８２，Ｓ８３の処理を行うスレーブペーパ４のＣＰＵ４０１が「第一表示制御手段」に相当する。
【０１１２】
次に、図１乃至図３、図１５乃至図１７を参照して、第二の実施の形態について説明する。第二の実施の形態の表示装置１では、スレーブペーパ４において裏面表示部５２に表示される画像の向きの制御が行われる。
【０１１３】
まず、図１５を参照して、表示装置１の電気的構成について説明する。図１５は、第二の実施の形態の表示装置１の電気的構成を示す模式図である。なお、第一の実施の形態の表示装置１と同様の構成については、同じ符号を用いている（図７参照）。ここでは、第一の実施の形態の表示装置１と構成の異なる部分についてのみ説明する。
【０１１４】
第二の実施の形態では、電子ペーパ５の綴じ位置を検出するための綴じ位置検出部がマスタペーパ３だけではなく、スレーブペーパ４にも設けられている。したがって、第二の実施の形態では、スレーブペーパ４の内部に、電圧計である短辺電源電圧計測部７２及び長辺電源電圧計測部７３が設けられている。そして、短辺電源電圧計測部７２の端子が電源供給用短辺綴じ穴２１に設けられ、電源供給用短辺綴じ穴２１に電源供給用リング１１が挿入されている際に、電源供給用リング１１に流れている電流の電圧を計測することができる。そして、長辺電源電圧計測部７３の端子は電源供給用長辺綴じ穴３１に設けられ、電源供給用長辺綴じ穴３１に電源供給用リング１１が挿入されている際に、電源供給用リング１１に流れている電流の電圧を計測することができる。そして、短辺電源電圧計測部７２及び長辺電源電圧計測部７３で計測された電圧値は、綴じ位置検出部７１において０〜２５５の値にＡ／Ｄ変換される。そして、短辺電源電圧計測部７２及び長辺電源電圧計測部７３のいずれの電圧計測部で計測された電圧が「０Ｖ」より大きいか否かにより、短辺で綴じられているか、長辺で綴じられているかの判断が行われる。０Ｖ以上の電圧が計測された方で綴じられていると判断される。そして、綴じ位置検出部７１はＣＰＵ５２にバスを介して接続されている。
【０１１５】
次に、第二の実施の形態におけるマスタペーパ３のＲＡＭ３０３及びスレーブペーパ４のＲＡＭ４０３に設けられている記憶エリアについて説明する。第二の実施の形態におけるマスタペーパ３のＲＡＭ３０３の記憶エリアは、図８に示した第一の実施の形態における記憶エリアと同様であるので、説明を引用して省略する。また、スレーブペーパ４のＲＡＭ４０３の記憶エリアも、図９に示した第一の実施の形態における記憶エリアとほぼ同様であり、接続位置記憶エリア４３１，ページデータ展開エリア４３２が設けられており、さらに、綴じ位置記憶エリアが設けられている。
【０１１６】
次に、図１６乃至図１８のフローチャートを参照して、第二の実施の形態におけるマスタペーパ３での処理及びスレーブペーパ４での処理について説明する。図１６は、マスタペーパ３で実施されるマスタペーパメイン処理のフローチャートであり、図１７は、マスタペーパメイン処理の中で実施されるコンテンツ書き込み処理のフローチャートである。そして、図１８はスレーブペーパ４で実施されるスレーブペーパメイン処理のフローチャートである。なお、マスタペーパメイン処理の中で実施されるペーパ順序決定処理については、第一の実施の形態と同様であるので、図１１に示したフローチャートを引用して省略する。また、第二の実施の形態において使用される変数やフラグ、コマンド、ペーパ順序管理テーブルは、第一の実施の形態と同様であるので、説明を引用して省略する。
【０１１７】
まず、マスタペーパメイン処理について、図１５のフローチャートを参照して説明する。本マスタペーパメイン処理は、表示装置１の電源が投入された際に開始される。この表示装置１は、パーソナルコンピュータ（以下、ＰＣという）から表示させるコンテンツの情報を受信し、メモリカード１３７に記憶させ、記憶されたコンテンツを電子ペーパ５の表示部５１，５２に表示させる。
【０１１８】
まず、マスタペーパ３が短辺綴じ穴２０で綴じられているか、長辺綴じ穴３０で綴じられているかが検出される（Ｓ１０１）。ここでは、短辺電源電圧計測部６２及び長辺電源電圧計測部６３において電圧が計測される。そして、計測された電圧値が綴じ位置検出部６１においてＡ／Ｄ変換される。ここで、綴じ穴に電源供給用リング１１が挿入されてなければ、その綴じ穴に設けられている電圧計測部では０Ｖが検出され、Ａ／Ｄ変換値は「０」となる。一方、電源供給用リング１１が挿入されていれば、電源供給用リング１１に流れている電流の電圧値を検出することになるので、「１２８」のＡ／Ｄ変換値を得ることとなる。
【０１１９】
したがって、位置検出用短辺綴じ穴２４において電源供給用リング１１によりマスタペーパ３が綴じられている場合には、綴じ位置記憶エリア３３６に「短辺綴じ」を示す「１」が記憶される。一方、電源供給用長辺綴じ穴３１において電源供給用リング１１によりマスタペーパ３が綴じられている場合には、綴じ位置記憶エリア３３６に「長辺綴じ」を示す「０」が記憶される。
【０１２０】
次いで、ＰＣからコンテンツを受信したか否かの判断が行われる（Ｓ１０２）。ＰＣからコンテンツを受信したら（Ｓ１０２：ＹＥＳ）、メモリカード１３７に受信されたコンテンツが記憶される（Ｓ１０３）。なお、ＰＣからコンテンツを受信しない場合には（Ｓ１０２：ＮＯ）、受信を待機する（Ｓ１０２：ＮＯ，Ｓ１０２）。そして、ペーパ順序決定処理が行われる（Ｓ１０４、図１６参照）。このペーパ順序決定処理では、綴じ部材１０により綴じられている電子ペーパ５の並び順が検出される。この処理は、第一の実施の形態におけるペーパ順序決定処理（図１１参照）と同様であるので、引用して説明を省略する。
【０１２１】
ペーパ順序決定処理が終了すると、コンテンツ書込処理が行われる（Ｓ１０７、図１７参照）。このコンテンツ書込処理では、メモリカード１３７に記憶されているコンテンツの画像が電子ペーパ５の表面表示部５１及び裏面表示部５２に表示される。ここで、コンテンツ書込処理について、図１７のフローチャートを参照して説明する。
【０１２２】
まず、図１６に示すように、種々の初期化処理が行われる（Ｓ１３１）。具体的には、表示するコンテンツのページを示す変数「コンテンツページ番号」に初期値の「１」が記憶され、コンテンツが表示される電子ペーパ５の順番を示す変数「ペーパ順序番号」に初期値の「１」が記憶され、表裏フラグに「１」が記憶されて「ｔｒｕｅ」とされる。
【０１２３】
そして、変数「ペーパ順序番号」の値が接続ペーパ数記憶エリア３３１に記憶されている値よりも大きいか否かの判断が行われる（Ｓ１３２）。ペーパ順序番号は、次にコンテンツを表示させる電子ペーパ５の順番なので、これが接続ペーパ数よりも大きければ（Ｓ１３２：ＹＥＳ）、すべての電子ペーパ５への表示が終了したことになる。そこで、本処理は終了する。ここでは、一例として接続ペーパ数は「４」とする。しかし、変数「ペーパ順序番号」はＳ１３１で初期値の「１」が与えられているので、接続ペーパ数「４」よりも大きくないと判断される（Ｓ１３２：ＮＯ）。
【０１２４】
そして、変数「コンテンツページ番号」の値がコンテンツのページ数よりも大きくなったか否かの判断が行われる（Ｓ１３３）。コンテンツページ番号は、次に表示させるコンテンツのページ番号を示しているので、コンテンツのページ数よりも大きければ（Ｓ１３３：ＹＥＳ）、表示させるページがないということになるので、本処理は終了する。なお、コンテンツのページ数は、メモリカード１３７にコンテンツの各ページの画像データと共に記憶されている。ここでは、一例としてコンテンツページ数を「７」とする。ここでは、Ｓ１３１において変数「コンテンツページ番号」に初期値の「１」が記憶されているので、コンテンツページ数「７」よりも大きくないと判断される（Ｓ１３３：ＮＯ）。
【０１２５】
そして、変数「コンテンツページ番号」の値「１」のページ番号のコンテンツの画像が表示部５１，５２に表示可能な形式のデータに展開され、ページデータ展開エリア３３３に記憶される（Ｓ１３４）。そして、次に表示させる電子ペーパ５がマスタペーパ３であるか否かの判断が行われる（Ｓ１３５）。ページ順序管理テーブルに記憶されている製造番号の最初の一桁が「Ｍ」である電子ペーパ５がマスタペーパ３である。
【０１２６】
ここでは、図１０に示す例のように、マスタペーパ３はペーパ順序番号「２」であるとして説明する。変数「ペーパ順序番号」は「１」であり、ペーパ順序番号「１」の電子ペーパ５の製造番号は「Ｓ００２３４」はスレーブペーパ４であるので、次に表示が行われる電子ペーパ５がマスタペーパ３でないと判断される（Ｓ１３５：ＮＯ）。そして、表裏フラグが「ｔｒｕｅ」であるか否かの判断が行われる（Ｓ１４２）。表裏フラグはＳ１３１において初期値として「ｔｒｕｅ」とされているので（Ｓ１４２：ＹＥＳ）、ページデータ展開エリア３３３に記憶されている展開データを製造番号「Ｓ００２３４」のスレーブペーパ４の表面表示部２５１に表示させる必要がある。そこで、ＲＥＱＦＲＯＮＴＷＲＩＴＥコマンドが製造番号「Ｓ００２３４」のスレーブペーパ４へ送信される（Ｓ１４７）。具体的には、（Ｓ，＊，Ｓ００２３４，ＲＥＱＦＲＯＮＴＷＲＩＴＥ，展開データ）というコマンドが送信される。そして、製造番号「Ｓ００２３４」のスレーブペーパ４から応答されるＳＥＮＤＤＯＮＥコマンドの受信処理が行われる（Ｓ１４８）。そして、ＳＥＮＤＤＯＮＥコマンドを受信したら、同じスレーブペーパ４の裏面表示部５２へ次の表示を行うために、表裏フラグが「ｆａｌｓｅ」とされる（Ｓ１４９）。同じスレーブペーパ４に表示させるため、ペーパ順序番号の値は変更されない。なお、スレーブペーパ４からＳＥＮＤＤＯＮＥコマンドを受信できない場合には、エラーの処理が行われて、メイン処理へ戻る。
【０１２７】
そして、変数「コンテンツページ番号」に「１」が加算されて「２」とされる（Ｓ１５０）。そして、Ｓ１３２へ戻る。この時点では、コンテンツページ番号「２」、ペーパ順序番号「１」、表裏フラグ「ｆａｌｓｅ」である。よって、ペーパ順序番号は接続ペーパ数よりも大きくないと判断され（Ｓ１３２：ＮＯ）、コンテンツページ番号はコンテンツページ数よりも大きくないと判断され（Ｓ１３３：ＮＯ）、２ページ目のコンテンツの画像がページデータ展開エリア３３３に記憶される（Ｓ１３４）。そして、ペーパ順序番号「１」の電子ペーパ５の製造番号は「Ｓ００２３４」はスレーブペーパ４であり（Ｓ１３５：ＮＯ）、表裏フラグは「ｆａｌｓｅ」である（Ｓ１４２：ＮＯ）。
【０１２８】
よって、ページデータ展開エリア３３３に記憶されている展開データを製造番号「Ｓ００２３４」のスレーブペーパ４の裏面表示部２５２に表示させる必要がある。そこで、ＲＥＱＢＡＣＫＷＲＩＴＥコマンドが製造番号「Ｓ００２３４」のスレーブペーパ４へ送信される（Ｓ１４７）。具体的には、（Ｓ，＊，Ｓ００２３４，ＲＥＱＢＡＣＫＷＲＩＴＥ，展開データ）というコマンドが送信される。そして、製造番号「Ｓ００２３４」のスレーブペーパ４から応答されるＳＥＮＤＤＯＮＥコマンドの受信処理が行われる（Ｓ１４８）。そして、ＳＥＮＤＤＯＮＥコマンドを受信したら、次の順番の電子ペーパ５の表面表示部５１へ次の表示を行うために、表裏フラグが「ｔｒｕｅ」とされる（Ｓ１４５）。そして、変数「ペーパ順序番号」に「１」が加算され「２」とされる（Ｓ１４６）。なお、スレーブペーパ４からＳＥＮＤＤＯＮＥコマンドを受信できない場合には、エラーの処理が行われて、メイン処理へ戻る。
【０１２９】
そして、変数「コンテンツページ番号」に「１」が加算されて「３」とされる（Ｓ１５０）。そして、Ｓ１３２へ戻る。この時点では、コンテンツページ番号「３」、ペーパ順序番号「２」、表裏フラグ「ｔｒｕｅ」である。よって、ペーパ順序番号は接続ペーパ数よりも大きくないと判断され（Ｓ１３２：ＮＯ）、コンテンツページ番号はコンテンツページ数よりも大きくないと判断され（Ｓ１３３：ＮＯ）、２ページ目のコンテンツの画像がページデータ展開エリア３３３に記憶される（Ｓ１３４）。そして、ペーパ順序番号「２」の電子ペーパ５の製造番号は「Ｍ００００１」は、最初の一桁が「Ｍ」でありマスタペーパ３であると判断される（Ｓ１３５：ＹＥＳ）。
【０１３０】
そして、表裏フラグが「ｔｒｕｅ」であるか否かの判断が行われる（Ｓ１３６）。表裏フラグは「ｔｒｕｅ」なので（Ｓ１３６：ＹＥＳ）、ページデータ展開エリア３３３に記憶されている展開データを製造番号「Ｍ００００１」のマスタペーパ３の表面表示部１５１に表示させる必要がある。そこで、ページデータ展開エリア３３３に記憶されている展開データがマスタペーパ３、つまり、自身の表面表示部１５１に表示される（Ｓ１５１）。そして、同じマスタペーパ３の裏面表示部５２へ次の表示を行うために、表裏フラグが「ｆａｌｓｅ」とされる（Ｓ１５２）。同マスタペーパ３に表示させるため、ペーパ順序番号の値は変更されない。
【０１３１】
そして、変数「コンテンツページ番号」に「１」が加算されて「４」とされる（Ｓ１５０）。そして、Ｓ１３２へ戻る。この時点では、コンテンツページ番号「４」、ペーパ順序番号「２」、表裏フラグ「ｆａｌｓｅ」である。よって、ペーパ順序番号は接続ペーパ数よりも大きくないと判断され（Ｓ１３２：ＮＯ）、コンテンツページ番号はコンテンツページ数よりも大きくないと判断され（Ｓ１３３：ＮＯ）、２ページ目のコンテンツの画像がページデータ展開エリア３３３に記憶される（Ｓ１３４）。そして、ペーパ順序番号「２」の電子ペーパ５の製造番号は「Ｍ００００１」は、最初の一桁が「Ｍ」でありマスタペーパ３であると判断され（Ｓ１３５：ＹＥＳ）、表裏フラグは「ｔｒｕｅ」でないので（Ｓ１３６：ＮＯ）、ページデータ展開エリア３３３に記憶されている展開データを製造番号「Ｍ００００１」のマスタペーパ３の裏面表示部１５２に表示させる必要がある。
【０１３２】
そこで、表示させる画像を裏面表示部１５２に表示されている画像の向きと同じ向きでよいか、異なる向きにする必要があるかを判断する必要があり、電子ペーパ５が短辺綴じ（図２参照）であるか否かの判断が行われる（Ｓ１３７）。この判断は、綴じ位置記憶エリア３３６に記憶されている値が短辺綴じを示す値「１」であるか否かにより行われる。短辺綴じであれば（Ｓ１３７：ＹＥＳ）、ページデータ展開エリア３３３に記憶されている展開データが１８０度回転される（Ｓ１３８）。短辺綴じの場合には、電子ペーパ５を上下に配置して閲覧されるので、表面表示部５１に表示される画像の向きと裏面表示部５２に表示される画像の向きとを異なるもの、すなわち、逆にする必要がある。そこで、電子ペーパ５の裏面表示部５２に表示されるページであるコンテンツの偶数ページの画像が１８０度回転される。一方、短辺綴じを示す値「１」が記憶されていなければ、長辺綴じ（図３参照）であると判断される（Ｓ１３７：ＮＯ）。この場合には、電子ペーパ５は左右に配置されて閲覧されるので、表面表示部５１に表示される画像の向きと裏面表示部５２とに表示される画像の向きとは同じ向きでよい。よって、短辺綴じでなく長辺綴じである場合には（Ｓ１３７：ＮＯ）、画像の回転処理は行われない。
【０１３３】
そして、ページデータ展開エリア３３３に記憶されている展開データがマスタペーパ３、つまり、自身の裏面表示部１５２に表示される（Ｓ１３９）。そして、次の順番の電子ペーパ５の表面表示部５１へ次の表示を行うために、表裏フラグが「ｔｒｕｅ」とされる（Ｓ１４０）。そして、変数「ペーパ順序番号」に「１」が加算され「３」とされる（Ｓ１４１）。
【０１３４】
そして、変数「コンテンツページ番号」に「１」が加算されて「３」とされる（Ｓ１５０）。そして、Ｓ１３２へ戻る。このようにして、Ｓ１３２〜Ｓ１５０の処理が繰り返し実施されて、ページ順序管理テーブルに記憶されている順に電子ペーパ５にコンテンツの各ページが表示される。そして、コンテンツページ番号が「８」となと、コンテンツページ番号がコンテンツページ数よりも大きいと判断され（Ｓ１３３：ＹＥＳ）、本処理は終了し、メイン処理へ戻る。また、コンテンツページ数が４枚の電子ペーパ５で表示可能な８ページよりも大きい場合には、ペーパ順序番号が接続ペーパ数「４」よりも大きくなった時点で（Ｓ１３２：ＹＥＳ）、本処理は終了し、メイン処理へ戻る。
【０１３５】
そして、図１６に示すように、メイン処理では、コンテンツ書込処理が終了すると（Ｓ１７）、Ｓ１１へ戻り、ペーパの綴じ位置検出処理が行われ（Ｓ１１）、ＰＣからのコンテンツ受信が待機される（Ｓ１２：ＮＯ、Ｓ１２）。
【０１３６】
次に、図１８のフローチャートを参照して、スレーブペーパ４における処理を説明する。この処理も、マスタペーパメイン処理と同様に、表示装置１の電源が投入された際に開始される。まず、接続位置の更新が行われる（Ｓ１６０）。具体的には、位置検出用リング１４のどの位置に当該スレーブペーパ４が配置されているかを示すＡ／Ｄ変換値が取得される。短辺位置電圧計測部４７及び長辺位置電圧計測部４８において電圧が計測され、位置検出部４６において電圧計測部４７，４８からＡ／Ｄ変換される。そして、位置検出用リング１４が挿入されている方の位置検出用綴じ穴２４，３４においては「０」〜「２５５」の値が得られる。このＡ／Ｄ変換値が接続位置記憶エリア４３１に記憶される。
【０１３７】
そして、綴じ位置検出処理が行われる（Ｓ１６１）。具体的には、短辺電源電圧計測部７２及び長辺電源電圧計測部７３において電圧が計測される。そして、計測された電圧値が綴じ位置検出部７１においてＡ／Ｄ変換される。ここで、綴じ穴に電源供給用リング１１が挿入されてなければ、その綴じ穴に設けられている電圧計測部では０Ｖが検出され、Ａ／Ｄ変換値は「０」となる。一方、電源供給用リング１１が挿入されていれば、電源供給用リング１１に流れている電流の電圧値を検出することになるので、「１２８」のＡ／Ｄ変換値を得ることとなる。
【０１３８】
したがって、電源供給用短辺綴じ穴２１において電源供給用リング１１によりマスタペーパ３が綴じられている場合には、短辺電源電圧計測部７２から取得された電圧値のＡ／Ｄ変換値は「１２８」、長辺電源電圧計測部７３から取得された電圧値のＡ／Ｄ変換値は「０」となり、Ａ／Ｄ変換値が「０」以上である電源供給用短辺綴じ穴２１においてマスタペーパ３が綴じられていると判断され、綴じ位置記憶エリア３３６に「短辺綴じ」を示す「１」が記憶される。一方、電源供給用長辺綴じ穴３１において電源供給用リング１１によりマスタペーパ３が綴じられている場合には、長辺電源電圧計測部７３から取得された電圧値のＡ／Ｄ変換値は「１２８」、短辺電源電圧計測部７２から取得された電圧値のＡ／Ｄ変換値は「０」となり、Ａ／Ｄ変換値が「０」以上である電源供給用長辺綴じ穴３１においてマスタペーパ３が綴じられていると判断され、綴じ位置記憶エリア３３６に「長辺綴じ」を示す「０」が記憶される。
【０１３９】
次いで、他の電子ペーパ５から送信されるコマンドの受信処理が行われる（Ｓ１６２）。なお、他の電子ペーパ５からのコマンドの送信がない場合には、ここで処理が待機される。そして、コマンドを受信したら、「宛先位置」に自身の接続位置がセットされているか否かにより、自身に送信されたコマンドであるか否かの判断が行われる（Ｓ１６３）。具体的には、送信されたデータの２つ目の項目にセットされている値と、接続位置記憶エリア４３１に記憶されている値とが同じ値であるか否かの判断が行われる。宛先位置と接続位置が同じであり、自身に宛てられたコマンドであれば（Ｓ１６３：ＹＥＳ）、「コマンド種類」がＲＥＱＩＤであるか否かの判断が行われる。４つ目の項目にセットされている値が「ＲＥＱＩＤ」であれば（Ｓ１７１：ＹＥＳ）、マスタペーパ３から製造番号の送信を依頼されているので、自身の製造番号を載せたＳＥＮＤＩＤコマンドをマスタペーパ３へ送信する必要がある。そこで、（Ｍ，＊，＊，ＳＥＮＤＩＤ，ＥＥＰＲＯＭ３０４に記憶されている製造番号）というデータが作成され、通信部４５から送信される（Ｓ１７２）。また、「コマンド種類」がＲＥＱＩＤでなければ（Ｓ１７１：ＮＯ）、スレーブペーパ４で処理すべきコマンドでないので、そのままＳ１６０へ戻る。
【０１４０】
また、「宛先位置」に自身の接続位置がセットされていなければ（Ｓ１６３：ＮＯ）、「宛先製造番号」が自身の製造番号であるか否かの判断が行われる（Ｓ１６４）。具体的には、送信されたデータの３つ目の項目にセットされている値と、ＥＥＰＲＯＭ３０４に記憶されている製造番号とが同じ値であるか否かの判断が行われる。「宛先製造番号」の値が自身の製造番号でなければ（Ｓ１６４：ＮＯ）、自身に宛てられたコマンドでないので、そのままＳ１６０へ戻る。一方、「宛先製造番号」の値が自身の製造番号であれば（Ｓ１６４：ＹＥＳ）、自身に宛てられたコマンドであるので、コマンドの種類が確認され（Ｓ１６５〜Ｓ１６７）、それぞれのコマンドに対応した処理が行われる。
【０１４１】
「コマンド種類」が「ＲＥＱＦＲＯＮＴＷＲＩＴＥ」であれば（Ｓ１６５：ＹＥＳ）、送信されたデータの５つ目の項目の「添付データ」にセットされている展開データがＲＡＭ４０３のページデータ展開エリア４３２に記憶される（Ｓ１７６）。そして、ページデータ展開エリア４３２の展開データが表面表示部２５１に表示される（Ｓ１７７）。そして、表示が完了したコマンドを示すＳＥＮＤＤＯＮＥコマンドがマスタペーパ３へ送信され（Ｓ１７８）。具体的には（Ｍ，＊，＊，ＳＥＮＤＤＯＮＥ，ＮＵＬＬ）というデータが通信部４５から送信される。そして、Ｓ１６０へ戻る。
【０１４２】
また、「コマンド種類」が「ＲＥＱＢＡＣＫＷＲＩＴＥ」であれば（Ｓ１６５：ＮＯ，Ｓ１６６：ＹＥＳ）、送信されたデータの５つ目の項目の「添付データ」にセットされている展開データがＲＡＭ４０３のページデータ展開エリア４３２に記憶される（Ｓ１８１）。そして、ページデータ展開エリア４３２に記憶されている裏面表示部２５２に表示させる必要がある。
【０１４３】
そこで、表示させる画像を裏面表示部１５２に表示されている画像の向きと同じ向きでよいか、異なる向きにする必要があるかを判断する必要があり、電子ペーパ５が短辺綴じ（図２参照）であるか否かの判断が行われる（Ｓ１８２）。この判断は、ＲＡＭ４０３の綴じ位置記憶エリア３３６に記憶されている値が短辺綴じを示す値「１」であるか否かにより行われる。短辺綴じであれば（Ｓ１８２：ＹＥＳ）、ページデータ展開エリア４３２に記憶されている展開データが１８０度回転される（Ｓ１８４）。短辺綴じの場合には、電子ペーパ５を上下に配置して閲覧されるので、表面表示部５１に表示される画像の向きと裏面表示部５２に表示される画像の向きとを異なるもの、すなわち、逆にする必要がある。そこで、電子ペーパ５の裏面表示部５２に表示されるページであるコンテンツの偶数ページの画像が１８０度回転される。一方、短辺綴じを示す値「１」が記憶されていなければ、長辺綴じ（図３参照）であると判断される（Ｓ１８２：ＮＯ）。この場合には、電子ペーパ５は左右に配置されて閲覧されるので、表面表示部５１に表示される画像の向きと裏面表示部５２とに表示される画像の向きとは同じ向きでよい。よって、短辺綴じでなく長辺綴じである場合には（Ｓ１８２：ＮＯ）、画像の回転処理は行われない。
【０１４４】
そして、ページデータ展開エリア４３２の展開データが裏面表示部２５２に表示される（Ｓ１８５）。そして、表示が完了したコマンドを示すＳＥＮＤＤＯＮＥコマンドがマスタペーパ３へ送信される（Ｓ１８６）。具体的には（Ｍ，＊，＊，ＳＥＮＤＤＯＮＥ，ＮＵＬＬ）というデータが通信部４５から送信される。そして、Ｓ１６０へ戻る。
【０１４５】
また、「コマンド種類」がその他のものであれば（Ｓ１６７：ＹＥＳ）、それぞれのコマンドに応じた処理が行われる（Ｓ１８６）。その他のコマンドについては、本発明の要部でないので、説明を省略する。また、「コマンド種類」がその他のコマンドでもなければ（Ｓ１６７：ＮＯ）、そのままＳ１６０へ戻る。
【０１４６】
そして、再度、接続位置の更新が行われ（Ｓ１６０）、コマンドの受信処理が行われる（Ｓ１６２）。そして、コマンドを受信するとそれに応じた処理が行われている（Ｓ１６３〜Ｓ１８６）。このようにして、Ｓ１６０〜Ｓ１８６の処理が繰り返し実施されることにより、マスタペーパ３からのコマンドの指示に応じて、表面表示部２５１及び裏面表示部２５２への表示及び接続位置の取得が行われる。
【０１４７】
以上のようにして、表示装置１が短辺綴じである場合には、スレーブペーパ４において、受信した画像データを１８０度回転さることにより、表面表示部５１と裏面表示部５２とに表示される画像を逆の向きにすることができる。よって、マスタペーパ３では、自身の裏面表示部１５２に表示させる画像データを１８０度回転させるだけでよい。また、スレーブペーパ４においても、ＲＥＱＢＡＣＫＷＲＩＴＥコマンドに添付された画像データのみを１８０度回転させるだけでよい。そして、綴じ位置により表面表示部５１と裏面表示部５２とに表示される画像が自動的に逆の向きになるので、ユーザは綴じ位置を指示する必要がなく、手間なく望ましい方向に画像を表示させることができる。
【０１４８】
そして、上記第二の実施の形態の図１７に示すコンテンツ書込処理のＳ１３７，Ｓ１３８の処理を行うマスタペーパ３のＣＰＵ３０１及び図１８に示すスレーブペーパメイン処理のＳ１８２，Ｓ１８４の処理を行うスレーブペーパ４のＣＰＵ４０１が「向き制御手段」に相当し、図１７に示すコンテンツ書込処理のＳ１３７の処理を行うマスタペーパ３のＣＰＵ３０１及び図１８に示すスレーブペーパメイン処理のＳ１８２の処理を行うスレーブペーパ４のＣＰＵ４０１が「向き決定手段」に相当し、図１７に示すコンテンツ書込処理のＳ１３８の処理を行うマスタペーパ３のＣＰＵ３０１及び図１８に示すスレーブペーパメイン処理のＳ１８４の処理を行うスレーブペーパ４のＣＰＵ４０１が「向き調整手段」に相当する。
【０１４９】
そして、図１６に示すマスタペーパメイン処理のＳ１０１の処理を行うマスタペーパ３のＣＰＵ３０１及び図１５に示す綴じ位置検出部６１，短辺電源電圧計測部６２，長辺電源電圧計測部６３が「綴じ位置検出手段」に相当し、さらに、図１８に示すスレーブペーパメイン処理のＳ１６０の処理を行うスレーブペーパ４のＣＰＵ４０１及び図１５に示す綴じ位置検出部７１，短辺電源電圧計測部７２，長辺電源電圧計測部７３も「綴じ位置検出手段」に相当する。綴じ位置検出手段」に相当し、綴じ位置検出部６１、短辺電源電圧計測部６２、綴じ位置検出部７１及び短辺電源電圧計測部７２が「電圧値計測手段」に相当し、図１６に示すマスタペーパメイン処理のＳ１０１の処理を行うマスタペーパ３のＣＰＵ３０１及び図１８に示すスレーブペーパメイン処理のＳ１６０の処理を行うスレーブペーパ４のＣＰＵ４０１が「綴じ判断手段」に相当する。そして、図１７に示すコンテンツ書込処理のＳ１４３，Ｓ１４７の処理を行うマスタペーパ３のＣＰＵ３０１が「第二送信手段」に相当し、図１８に示すスレーブペーパメイン処理のＳ１８２，Ｓ１８４，Ｓ１８５の処理を行うスレーブペーパ４のＣＰＵ４０１が「第二表示制御手段」に相当する。
【０１５０】
次に、図１９及び図２０を参照して、第三の実施の形態について説明する。第三の実施の形態の表示装置では、表示装置１に表示する画像のデータを作成するパーソナルコンピュータにおいて裏面表示部５２に表示される画像の向きの制御が行われる。図１９は、ＰＣにおいて実施されるＰＣ送信処理のフローチャートであり、図２０は、マスタペーパ３で実施されるマスタペーパメイン処理のフローチャートである。
【０１５１】
第三の実施の形態における表示装置１の電気的構成は、図７に示す第一の実施の形態の電気的構成と同様であるので、説明を引用して省略する。さらに、第三の実施の形態におけるマスタペーパ３のＲＡＭ３０３の記憶エリアは、図８に示した第一の実施の形態における記憶エリアと同様であるので、説明を引用して省略する。また、スレーブペーパ４のＲＡＭ４０３の記憶エリアも、図９に示した第一の実施の形態における記憶エリアとほぼ同様であり、接続位置記憶エリア４３１，ページデータ展開エリア４３２が設けられており、さらに、綴じ位置記憶エリアが設けられている。
【０１５２】
次に、図１９のフローチャートを参照して、ＰＣにて行われるＰＣ送信処理について説明する。ＰＣはいわゆるパーソナルコンピュータであり、ＰＣの全体を制御するＣＰＵ、データを記憶するＲＯＭ、ＲＡＭ、ハードディスク装置、表示装置１を接続するための接続ポート（たとえば、ＵＳＢポートなど）が備えられている。さらに、ＣＰＵには、ディスプレイ等の出力装置、キーボードやマウス等の入力装置が接続されている。また、フレキシブルディスク，ＤＶＤ，ＣＤ，メモリカード等の外部記憶装置が接続可能であってもよい。そして、ハードディスク装置には、表示装置１へコンテンツを送信するソフトウェアが記憶されている。図１９に示すＰＣ送信処理は、このソフトウェアが動作している際に、入力装置からコンテンツの送信の指示が入力された際に、実施される処理を示している。
【０１５３】
図１９に示すように、まず、送信されるコンテンツがラスタライズされ、ＲＡＭの所定の記憶エリアに記憶される（Ｓ２４９）。そして、マスタペーパ３からの応答を待機する時間（例えば、現在の時刻の１０秒後の時刻）が応答待ちタイマにセットされ（Ｓ２５０）、マスタペーパ３へ表示装置１の綴じ位置が問い合わせられる（Ｓ２５１）。そして、現在の時刻が応答待ちタイマの時刻を経過しているか否かにより、タイムアウト時間が経過したか否かの判断が行われ（Ｓ２５２）、経過していなければ（Ｓ２５２：ＮＯ）、マスタペーパ３から応答のデータを受信したか否かの判断が行われる（Ｓ２５３）。応答のデータを受信していれば、そこに短辺綴じを示す値が記憶されているか、長辺綴じを示す値が記憶されいるかの判断が行われる（Ｓ２５４）。短辺綴じを示す値が記憶されており、表示装置１の電子ペーパ５が短辺で綴じられていると判断された場合には（Ｓ２５４：ＹＥＳ）、Ｓ２５０でラスタライズされてＲＡＭに記憶されているコンテンツのデータにおいて、偶数ページのデータが、画像が１８０度回転されるように変更される（Ｓ２５５）。そして、ＲＡＭに記憶されているコンテンツのデータがマスタペーパ３に送信される（Ｓ２５６）。そして、本処理は終了する。
【０１５４】
なお、マスタペーパ３からの応答のデータを受信していない場合には（Ｓ２５３：ＮＯ）、Ｓ２５２へ戻り、タイムアウト時間の経過の判断が行われ（Ｓ２５２）、経過していなければ（Ｓ２５２：ＮＯ）、マスタペーパ３からの応答のデータの受信の判断が行われる（Ｓ２５３）。そして、Ｓ２５２，Ｓ２５３の処理が繰り返し実施されて、タイムアウト時間が経過した場合には（Ｓ２５２：ＹＥＳ）、偶数ページデータの回転は行われず、そのまま、ＲＡＭに記憶されているコンテンツのデータがマスタペーパ３に送信される（Ｓ２５６）。そして、本処理は終了する。
【０１５５】
次に、図２０のフローチャートを参照して、第三の実施の形態におけるマスタペーパ３での処理について説明する。なお、マスタペーパメイン処理の中で実施されるペーパ順序決定処理（図１２）、コンテンツ書込処理（図１３）については、第一の実施の形態と同様であるので、説明を引用して省略する。また、第三の実施の形態において使用される変数やフラグ、コマンド、ペーパ順序管理テーブルは、第一の実施の形態と同様であるので、説明を引用して省略する。
【０１５６】
図２０に示すように、まず、マスタペーパ３が短辺綴じ穴２０で綴じられているか、長辺綴じ穴３０で綴じられているかが検出される（Ｓ２０１）。ここでは、短辺電源電圧計測部６２及び長辺電源電圧計測部６３において電圧が計測される。そして、計測された電圧値が綴じ位置検出部６１においてＡ／Ｄ変換される。ここで、綴じ穴に電源供給用リング１１が挿入されてなければ、その綴じ穴に設けられている電圧計測部では０Ｖが検出され、Ａ／Ｄ変換値は「０」となる。一方、電源供給用リング１１が挿入されていれば、電源供給用リング１１に流れている電流の電圧値を検出することになるので、「１２８」のＡ／Ｄ変換値を得ることとなる。
【０１５７】
したがって、位置検出用短辺綴じ穴２４において電源供給用リング１１によりマスタペーパ３が綴じられている場合には、綴じ位置記憶エリア３３６に「短辺綴じ」を示す「１」が記憶される。一方、電源供給用長辺綴じ穴３１において電源供給用リング１１によりマスタペーパ３が綴じられている場合には、綴じ位置記憶エリア３３６に「長辺綴じ」を示す「０」が記憶される。
【０１５８】
次いで、ＰＣからコンテンツを受信したか否かの判断が行われる（Ｓ２０２）。ＰＣからコンテンツを受信したら（Ｓ２０２：ＹＥＳ）、メモリカード１３７に受信されたコンテンツが記憶される（Ｓ２０３）。なお、ＰＣからコンテンツを受信しない場合には（Ｓ２０２：ＮＯ）、受信を待機する（Ｓ２０２：ＮＯ，Ｓ２０２）。そして、ペーパ順序決定処理が行われる（Ｓ２０４、図１６参照）。このペーパ順序決定処理では、綴じ部材１０により綴じられている電子ペーパ５の並び順が検出される。この処理は、第一の実施の形態におけるペーパ順序決定処理（図１２参照）と同様であるので、引用して説明を省略する。
【０１５９】
ペーパ順序決定処理が終了すると、コンテンツ書込処理が行われる（Ｓ２０７、図１３参照）。このコンテンツ書込処理では、メモリカード１３７に記憶されているコンテンツの画像が電子ペーパ５の表面表示部５１及び裏面表示部５２に表示される。この処理は第一の実施の形態におけるコンテンツ書込処理（図１３参照）と同様であるので、引用して説明を省略する。そして、Ｓ２０２へ戻る。
【０１６０】
また、コンテンツをＰＣから受信していない場合には（Ｓ２０２：ＮＯ）、ＰＣから綴じ位置を問い合わせるデータを受信したか否かの判断が行われる（Ｓ２０８）。すると、この時点での電子ペーパ５の綴じ位置が検出され（Ｓ２０９）、検出されたＡ／Ｄ変換値を載せたデータがＰＣへ送信される（Ｓ２１０）。そして、Ｓ２０２へ戻る。なお、ＰＣから何のデータも受信していない場合には（Ｓ２０２：ＮＯ，Ｓ２０８：ＮＯ）、そのままＳ２０２へ戻る。
【０１６１】
以上のようにして、ＰＣにおいてマスタペーパ３から綴じ位置を取得することにより、表示装置１が短辺綴じである場合には、送信する画像データを１８０度回転さることにより、表面表示部５１と裏面表示部５２とに表示される画像を逆の向きにすることができる。よって、マスタペーパ３やスレーブペーパ４では、画像の向きを気にすることなく処理をすることができる。そして、綴じ位置により表面表示部５１と裏面表示部５２とに表示される画像が自動的に逆の向きになるので、ユーザは綴じ位置を指示する必要がなく、手間なく望ましい方向に画像を表示させることができる。
【０１６２】
そして、上記第三の実施の形態の図１９に示すＰＣ送信処理のＳ２５１，Ｓ２５３，Ｓ２５３，Ｓ２５４，Ｓ２５５の処理を行うＰＣのＣＰＵが「向き制御手段」に相当し、図１９に示すＰＣ送信処理のＳ２５１，Ｓ２５３，Ｓ２５３，Ｓ２５４の処理を行うＰＣのＣＰＵが「向き決定手段」に相当し、図１９に示すＰＣ送信処理のＳ２５５の処理を行うＰＣのＣＰＵが「向き調整手段」に相当する。そして、図２０に示すマスタペーパメイン処理のＳ２０１の処理を行うマスタペーパ３のＣＰＵ３０１及び図７に示す綴じ位置検出部６１，短辺電源電圧計測部６２，長辺電源電圧計測部６３が「綴じ位置検出手段」に相当し、綴じ位置検出部６１及び短辺電源電圧計測部６２が「電圧値計測手段」に相当し、図１１に示すマスタペーパメイン処理のＳ１の処理を行うマスタペーパ３のＣＰＵ３０１が「綴じ判断手段」に相当する。
【０１６３】
なお、本発明の表示装置及び電子ペーパは、上記した実施の形態に限定されるものではなく、本発明の要旨を逸脱しない範囲内において種々変更を加え得ることは勿論である。上記第一の実施の形態及び第三の実施の形態においては、表示装置１をＰＣに接続して、表示装置１に表示させるコンテンツをＰＣから受信した後に表示させているが、表示装置１に表示させるコンテンツの取得の方法はこれに限らないことは言うまでもない。例えば、コンテンツが記憶されているメモリカードを接続して、メモリカードからコンテンツのデータを読み込むようにしてもよい。また、表示装置１の記憶手段にコンテンツを記憶させておき、その中から読み出すようにしてもよい。
【０１６４】
上記実施の形態では、短辺綴じ穴２０及び長辺綴じ穴３０を楕円の綴じ穴１つと、長方形の綴じ穴３つの合計４つの綴じ穴の組み合わせとしたが、綴じ穴の形状はこれに限らない。例えば、すべて同じ形状の綴じ穴であってもよい。しかしながら、電子ペーパ５の表裏や向きの誤りをユーザに気づかせるという効果を得るためには、すべての綴じ穴の形状及びサイズが同じでないことが望ましい。そこで、すべて同じ形状の綴じ穴（円、楕円、多角形など）として、少なくとも１つの綴じ穴を他の綴じ穴と異なるサイズとしたり、すべての綴じ穴を異なるサイズとしたり、短辺綴じ穴ならば、左２つの短辺綴じ穴２１，２２と右二つの綴じ穴２３，２４とを異なるサイズとしたりしてもよい。また、少なくとも２つの綴じ穴を他の綴じ穴と異なる形状としてもよい。また、上記実施の形態では、４つの綴じ穴の間隔を同じとしたが、少なくとも１つの間隔を異なるものとしてもよい。これによれば、誤った向きで電子ペーパ５を重ねると綴じ部材１０を挿入することができないので、ユーザが電子ペーパ５の向きの誤りに気づくことができる。
【０１６５】
上記実施の形態では、短辺綴じの場合に裏面表示部５２を１８０度回転させて表面表示部５１と上下が逆になるように表示させたが、表示させる画像の向きを異なるものとする異なる向きとしては、上下の逆であることに限らない。例えば、短辺綴じの場合には、電子ペーパ５を横向き（長手方向を横、短手方向を縦に）に配置して使用するものとし、表面表示部５１では画像を右へ９０度回転させ、裏面表示部５２では画像を左へ９０度回転させるようにしてもよい。また上記実施の形態では、電子ペーパ５の形状を略長方形としたが、電子ペーパ５の形状は楕円、円、多角形等の他の形状であってもよいことは言うまでもない。
【０１６６】
また、上記実施の形態では、綴じ位置を検出する際に、電源供給用リング１１を使用しているが、他のリング使用してもよい。例えば、マスタペーパ３において綴じ位置を検出する場合には、位置検出用リングを用いて、位置検出用リング１１に電源が流れているか否かで判断してもよい。また、通信用リング１２を使用してもよい。この場合には、コマンドを出力し、その応答状況に基づいて綴じ位置を検出する。一例として、通信用短辺閉じ穴２３からあるコマンド（たとえば、ＲＥＱＩＤコマンド）を出力し、スレーブペーパ４から応答コマンド（たとえば、ＳＥＮＤＩＤコマンド）を受信するか否かを判断する。応答コマンドを受信すれば、「短辺綴じ」であると判断される。また、応答コマンドを受信しなければ、通信用長辺綴じ穴３３からコマンドを出力し、応答コマンドを受信するか否かを判断する。応答コマンドを受信すれば、「長辺綴じ」であると判断される。また、こちらでも応答コマンドを受信しなければ、スレーブペーパ４は綴じられていないと判断される。
【図面の簡単な説明】
【０１６７】
【図１】電子ペーパ５が重ねて綴じられている状態の表示装置１の外観図である。
【図２】電子ペーパ５の短辺で綴じられている状態で、見開きの状態とされている表示装置１の外観図である。
【図３】電子ペーパ５の長辺で綴じられている状態で、見開きの状態とされている外観図である。
【図４】電源供給用リング１１の断面を示す模式図である。
【図５】位置検出用リング１４の断面を示す模式図である。
【図６】位置検出用リング１４に１枚のマスタペーパ３と４枚のスレーブペーパ４とが綴じられている状態を示す模式図である。
【図７】第一の実施の形態の表示装置１の電気的構成を示すブロック図である。
【図８】第一の実施の形態のマスタペーパ３のＲＡＭ３０３のデータ構造を示す構成図である。
【図９】第一の実施の形態のスレーブペーパ４のＲＡＭ４０３のデータ構造を示す構成図である。
【図１０】ページ順序管理テーブル記憶エリア３３２に記憶されたページ順序管理テーブルのデータ構造を示す構成図である。
【図１１】第一の実施の形態のマスタペーパ３で実施されるマスタペーパメイン処理のフローチャートである。
【図１２】第一の実施の形態のマスタペーパメイン処理の中で実施されるペーパ順序決定処理のフローチャートである。
【図１３】第一の実施の形態のマスタペーパメイン処理の中で実施されるコンテンツ書き込み処理のフローチャートである。
【図１４】第一の実施の形態のスレーブペーパ４で実施されるスレーブペーパメイン処理のフローチャートである。
【図１５】第二の実施の形態の表示装置１の電気的構成を示す模式図である。
【図１６】第二の実施の形態のマスタペーパ３で実施されるマスタペーパメイン処理のフローチャートである。
【図１７】第二の実施の形態のマスタペーパメイン処理の中で実施されるコンテンツ書き込み処理のフローチャートである。
【図１８】第二の実施の形態のスレーブペーパ４で実施されるスレーブペーパメイン処理のフローチャートである。
【図１９】第三の実施の形態のＰＣで実施されるＰＣ送信処理のフローチャートである。
【図２０】第三の実施の形態のマスタペーパ３で実施されるマスタペーパメイン処理のフローチャートである。
【符号の説明】
【０１６８】
１  表示装置
３  マスタペーパ
４  スレーブペーパ
５  電子ペーパ
１０  綴じ部材
１１  電源供給用リング
１３  通信用リング
２０  短辺綴じ穴
２１  電源供給用短辺綴じ穴
２３  通信用短辺綴じ穴
３０  長辺綴じ穴
３１  電源供給用長辺綴じ穴
３３  通信用長辺綴じ穴
３５  通信部
３６  計時装置
３７  メモリカード
４５  通信部
４６  位置検出部
４７  短辺位置電圧計測部
４８  長辺位置電圧計測部
５１  表面表示部
５２  裏面表示部
６１  綴じ位置検出部
６２  短辺電源電圧計測部
６３  長辺電源電圧計測部
６４  バッテリー
６５  アース
７１  綴じ位置検出部
７２  短辺電源電圧計測部
７３  長辺電源電圧計測部
１１３  絶縁体
１１４  電気抵抗体
１５１  表面表示部
１５２  裏面表示部
２５１  表面表示部
２５２  裏面表示部
３０１  ＣＰＵ
４０１  ＣＰＵ
【図１】
2008065166.tif 000003
【図２】
2008065166.tif 000004
【図３】
2008065166.tif 000005
【図４】
2008065166.tif 000006
【図５】
2008065166.tif 000007
【図６】
2008065166.tif 000008
【図７】
2008065166.tif 000009
【図８】
2008065166.tif 000010
【図９】
2008065166.tif 000011
【図１０】
2008065166.tif 000012
【図１１】
2008065166.tif 000013
【図１２】
2008065166.tif 000014
【図１３】
2008065166.tif 000015
【図１４】
2008065166.tif 000016
【図１５】
2008065166.tif 000017
【図１６】
2008065166.tif 000018
【図１７】
2008065166.tif 000019
【図１８】
2008065166.tif 000020
【図１９】
2008065166.tif 000021
【図２０】
2008065166.tif 000022